(57)【要約】【課題】機種の変更を容易にするとともに、遊技店舗等における経済的な負担を軽減することが可能な遊技機の提供。【解決手段】前面が開口する外本体１００と、横開きの扉状に回動可能に支持された扉形前面部材２００と、遊技の進行を制御するメイン基板、及び所定の演出制御を実行する演出制御基板５１０が内部に組付けられるとともに、前面が開口するケース部材４００、及びケース部材４００の前面に設けられ扉形前面部材２００の回動方向と同方向に回動可能な前面開閉部材９０、を有し、外本体１００内に交換可能な状態で収容される機種ユニット５０と、扉形前面部材２００の横開き動作を伝達し、ケース部材４００の前面を開放させる連結具７００と、機種ユニット５０が外本体１００内に収容された後、ケース部材４００を外本体１００に対して固定状態に保持する結束バンド９４４等のユニット保持手段９４０とを備える。【選択図】図５９
2008212564.tif 000002
【特許請求の範囲】
【請求項１】
前面が開口する箱形または枠形の筐体と、
該筐体の前面を閉鎖する閉鎖位置と前記筐体の前面を開放する開放位置との間で横開きの扉状に回動可能に支持された扉形前面部材と、
該扉形前面部材に配置され、遊技者に遊技の進行を指示させることが可能な遊技操作部と、
該遊技操作部の操作等に基づいて遊技の進行を制御する遊技制御手段と、
遊技の進行に準じて所定の演出制御を実行する演出制御手段と、
前記遊技制御手段及び前記演出制御手段が内部に組付けられるとともに、前面の少なくとも一部が開口するユニット本体、及び該ユニット本体の前面に設けられ前記扉形前面部材の回動方向と同方向に回動可能で且つ閉位置と開位置との間で遊動可能に支持された前面開閉部材、を有し、前記筐体内に交換可能な状態で収容される機種ユニットと、
前記扉形前面部材によって前記前面開閉部材の遊動状態を規制するとともに、前記扉形前面部材が前記閉鎖位置から前記開放位置に回動する際、前記扉形前面部材の横開き動作を前記前面開閉部材に伝達し、該前面開閉部材を回動させることにより前記ユニット本体の前面を開放させる連結具と、
前記機種ユニットが前記筐体内に収容された後、前記機種ユニットにおける前記ユニット本体を前記筐体に対して固定状態に保持するユニット保持手段と
を備え、
前記ユニット保持手段は、前記ユニット本体の固定状態が解除された際に、痕跡の残る痕跡生成部材からなる
ことを特徴とする遊技機。
【発明の詳細な説明】
【技術分野】
【０００１】
本発明は、スロットマシン（一般に「パチスロ機」とも称する）や、ぱちんこ遊技機（一般に「パチンコ機」とも称する）等の遊技機に関するものである。
【背景技術】
【０００２】
スロットマシンは、遊技媒体であるメダルを投入し、メダルの投入後、操作レバーの操作に応じて複数の図柄からなる図柄列を変動表示させるとともに、その後、ストップボタンの操作に応じて図柄列の変動を停止させる、という遊技を行うものである。図柄列の変動停止時における図柄の組合せが特定の条件を満たす場合に、満たされた条件に応じて所定個数のメダルを払い出したり、遊技者が多量のメダルを獲得することができるように、遊技者に有利な特別有利状態を発生させたりすることが可能となっている。また、筐体の前面に演出表示装置を備え、遊技状態や抽選結果に基づいた演出を表示させるようにした遊技機も知られている。
【０００３】
ところで、スロットマシンでは、図柄列における図柄のデザイン、演出表示装置において表示される演出内容、または前面扉部材の装飾等によって、夫々の機種のコンセプトが特徴づけられている。そして、遊技店舗（所謂ホール）では、遊技者が同一の機種によって飽きることがないように、ある程度の期間が経過する毎に、旧機種のスロットマシンを遊技島から取外し、新機種のスロットマシンと入れ替えることが行われている。
【特許文献１】特開平６−２３１４３号
【発明の開示】
【発明が解決しようとする課題】
【０００４】
しかし、スロットマシンを入れ替える際には、旧機種のスロットマシンを筐体ごと取外し、全ての部品が装備された新機種のスロットマシンを取付けることから、交換に要する費用が嵩み、遊技店舗における経済的な負担が大きくなっていた。また、全ての部品が装備されたスロットマシンは、重量が重くしかも比較的大型であるため、取付け時や取外し時または輸送時における作業性を悪化させ、作業者の負担を増大させていた。さらに、旧機種のスロットマシンにおいては、共通部品等、再利用可能な部品があっても、それらが全て筐体ごと取外され、新機種のスロットマシンと入れ替えられるため、多くの無駄が発生し、資源の有効利用の観点からも改善が望まれていた。
【０００５】
そこで、本発明は、上記の実状に鑑み、機種の変更を容易にするとともに、遊技店舗等における経済的な負担を軽減することが可能な遊技機の提供を課題とするものである。
【課題を解決するための手段】
【０００６】
手段１：「前面が開口する箱形または枠形の筐体と、
該筐体の前面を閉鎖する閉鎖位置と前記筐体の前面を開放する開放位置との間で横開きの扉状に回動可能に支持された扉形前面部材と、
該扉形前面部材に配置され、遊技者に遊技の進行を指示させることが可能な遊技操作部と、
該遊技操作部の操作等に基づいて遊技の進行を制御する遊技制御手段と、
遊技の進行に準じて所定の演出制御を実行する演出制御手段と、
前記遊技制御手段及び前記演出制御手段が内部に組付けられるとともに、前面の少なくとも一部が開口するユニット本体、及び該ユニット本体の前面に設けられ前記扉形前面部材の回動方向と同方向に回動可能で且つ閉位置と開位置との間で遊動可能に支持された前面開閉部材、を有し、前記筐体内に交換可能な状態で収容される機種ユニットと、
前記扉形前面部材によって前記前面開閉部材の遊動状態を規制するとともに、前記扉形前面部材が前記閉鎖位置から前記開放位置に回動する際、前記扉形前面部材の横開き動作を前記前面開閉部材に伝達し、該前面開閉部材を回動させることにより前記ユニット本体の前面を開放させる連結具と、
前記機種ユニットが前記筐体内に収容された後、前記機種ユニットにおける前記ユニット本体を前記筐体に対して固定状態に保持するユニット保持手段と
を備え、
前記ユニット保持手段は、前記ユニット本体の固定状態が解除された際に、痕跡の残る痕跡生成部材からなる」ことを特徴とする遊技機。
【０００７】
ここで、「筐体」は前面のみが開口する箱状であってもよく、前面及び背面が開口する枠状（筒状を含む）であってもよい。扉形前面部材において「横開きの扉状」とは、扉のように、水平方向の一端側に、軸心方向を鉛直方向とする回転軸が設けられ、その回転軸を中心に開閉する状態を示したものである。また、「遊技操作部」としては、始動用操作手段（例えば操作レバー）や停止用操作手段（例えばストップボタン）を例示することができる。「遊技制御手段」及び「演出制御手段」としては、具体的にメイン基板及び演出制御基板を挙げることができる。また、「ユニット本体」は前面のみが開口するケース状であってもよく、前面及び背面が開口する枠状（筒状を含む）であってもよく、さらには周面に複数の開口部を備えるものであってもよい。また、「前面開閉部材」は、開口全体を閉塞するものであってもよく、開口の一部のみを塞ぐものであってもよい。さらに、「連結具」は、扉形前面部材及び前面開閉部材を直接連結するようにしてもよく、別の部材を介して連結するようにしてもよい。
【０００８】
手段１の構成によれば、筐体の前面には、横開きの扉状に回動可能に支持された扉形前面部材が設けられており、扉形前面部材を閉鎖位置から開放位置に回動させると、筐体の前面の開口が開放される。筐体の内部には、遊技操作部等の操作に基づいて遊技の進行を制御する遊技制御手段と所定の演出制御を実行する演出制御手段とが組付けられた機種ユニットが収容されており、機種ユニットごと交換することを可能にしている。このため、遊技機の機種を変更する場合、筐体及び扉形前面部材をそのまま利用し、遊技の進行を制御する遊技制御手段と、演出制御を実行する演出制御手段とを含む、必要最小限の構成のみを交換することが可能になる。したがって、機種変更にかかる費用の負担を軽減するとともに、交換部分の小型化及び軽量化が図れることから運搬や設置における作業性が向上する。特に、ユニットごと交換することから、取扱いが容易となり、遊技店舗においても速やかに交換することが可能になる。
【０００９】
ところで、この機種ユニットは、前面の少なくとも一部が開口するユニット本体と、その前面に設けられた前面開閉部材とを具備して構成され、前面開閉部材を開くと、ユニット本体の前面の開口が開放され、機種ユニットの内部を確認したり、遊技制御手段や演出制御手段等に対して作業を行ったりすることが可能になる。逆に、前面開閉部材を閉じると、ユニット本体内への前方からの視覚を遮蔽し、例えば、扉形前面部材に透視窓を設けた場合でも、透視窓を通した視覚の中に、遊技制御手段や演出制御手段が露出されることを防止できる。
【００１０】
また、本発明の構成によれば、前面開閉部材の回動方向を扉形前面部材の回動方向と同方向にし、扉形前面部材の横開き動作を前面開閉部材に伝達する連結具を備えている。このため、扉形前面部材を開放させると、連結具を介して前面開閉部材も同方向に回動しユニット本体の前面が開放される。つまり、閉位置と開位置との間で遊動可能に支持された前面開閉部材が、連結具によって扉形前面部材に連結されると、遊動状態が規制され、前面開閉部材が扉形前面部材に連れ回ることとなる。したがって、一回の横開き操作によって筐体内は勿論、ユニット本体の内部までも視認させることが可能になる。
【００１１】
ところで、上記のように交換可能な機種ユニットを備える遊技機において、その交換作業における負担をできるだけ軽減するには、筐体に対し機種ユニットを容易に着脱させ得る構成を採用することが好ましい。一例としては、機種ユニットを筐体の前面開口部分から挿入させ、所定の収容空間内に配置させるとともに、揺動レバータイプのストッパ等によって前方への動きを規制するようにする、構成を採用することもできる。
【００１２】
しかしながら、機種ユニットの内部には、遊技制御手段及び演出制御手段が組み込まれており、機種ユニットごと交換することが可能になっていることから、上記のように機種ユニットを容易に着脱させ得る構成を採用した場合には、不正な遊技制御手段等が組込まれた別の機種ユニットと交換されたり、遊技店舗以外の場所で機種ユニットの内部に組み込まれた遊技制御手段等が不正に操作されたりする虞がある。なお、この問題点を解決するため、機種ユニットの装着後、筐体に対して機種ユニットを固着状態に取付けることも考えられるが、これによれば、機種ユニットの取外しが極めて困難になり、機種ユニットを交換可能とした利点がなくなる。
【００１３】
これに対し、本発明では、ユニット保持手段を備えており、機種ユニットが筐体内に収容された後、機種ユニットにおけるユニット本体が筐体に対して固定状態に保持されるように構成されている。特に、このユニット保持手段は、痕跡生成部材からなり、ユニット本体の固定状態が解除されると（すなわち筐体内に収容されている機種ユニットを取出すことが可能な状態になると）、痕跡が残されるようになっている。換言すると、ユニット保持手段は、切断したり破壊したりする等、復元不能な状態に変化させなければ、固定状態が解除できないように構成されている。このため、ユニット保持手段の状態を認識させることにより、機種ユニットの固定状態が解除されたことを遊技店舗等において把握させることが可能になる。したがって、遊技制御手段等が不正な行為によって変更されることを抑制でき、遊技制御手段等における信頼性を確保することが可能になる。
【００１４】
手段２：手段１の構成において、「前記ユニット保持手段は、前記ユニット本体の前縁側に位置する第一所定部位と、前記機種ユニットが収容された際に前記第一所定部位に隣接する前記筐体の第二所定部位とを互いに連結する」ことを特徴する。
【００１５】
手段２の構成によれば、ユニット本体の前縁側に位置する第一所定部位と、その近傍に位置する筐体の第二所定部位とが連結されることによって、機種ユニットが固定状態に保持されるようになっている。このため、機種ユニットを固定状態に保持する際には、機種ユニットを筐体内に収容した後、機種ユニットの前側において連結作業を行えばよく、これによれば、十分な作業スペースを確保することができ、作業性を高めることが可能になる。また、ユニット保持手段を目立たせることが可能になり、ユニット保持手段の状態に異変がないか否か、すなわち機種ユニットが交換された虞がないか否かを明瞭に認識させることが可能になる。
【００１６】
手段３：手段２の構成において、「前記筐体内に設けられ前記機種ユニットを載置する載置板をさらに備え、前記第一所定部位は前記ユニット本体の底板部であり、前記第二所定部位は前記載置板である」ことを特徴とする。
【００１７】
手段３の構成によれば、ユニット本体の底板部と、機種ユニットを載置する載置板とがユニット保持手段によって連結されるため、互いに重ねられた部材同士が固定されることとなり、連結部材の長さが極めて短くなる。また、二つの部材を締め付けた状態で固定することが可能になり、機種ユニットの安定性をさらに向上させることができる。
【００１８】
手段４：手段１〜手段３のいずれか一つの構成において、「前記ユニット本体に第一貫通孔が穿設され、
前記機種ユニットが収容された際に前記第一貫通孔と重なり合う前記筐体の所定部位に第二貫通孔が穿設され、
前記ユニット保持手段は、前記第一貫通孔及び前記第二貫通孔を通して結束されることにより、前記ユニット本体を前記筐体に固定する結束部材である」ことを特徴とする。
【００１９】
手段４の構成によれば、ユニット本体に設けられた第一貫通孔と、筐体に設けられた第二貫通孔とを通して結束部材が結束され、ユニット本体が筐体に対して固定される。このため、極めて簡単に、機種ユニットを固定することができる。特に、第一貫通孔と第二貫通孔は重なり合うため、ユニット固定手段の長さが極めて短くなるとともに、二つの部材を締め付けた状態で固定することが可能になる。
【００２０】
手段５：手段４の構成において、「前記結束部材は結束バンドであり、
該結束バンドは、
鋸歯状列歯を片面側に設けたバンド部と、
該バンド部の頭部側に設けられ該バンドを挿入させることが可能な挿通孔を有する頭部と、
該頭部における前記挿通孔の内部に形成され、前記鋸歯状列歯を係止可能で且つ係止後の解除操作が不能な係止爪と
を具備する」ことを特徴とする。
【００２１】
手段５の構成は、手段４の「結束部材」を具現化したものであり、結束部材として周知の結束バンドが用いられている。この結束バンドによれば、第一貫通孔及び第二貫通孔にバンド部を通し、その後、そのバンド部を頭部の挿通孔に挿入させると、バンド部の片面側に形成された鋸歯状列歯が、挿通孔の内部に形成された係止爪に係止され、ユニット本体が筐体に固定される。そして、挿通孔に対しバンド部を深く挿入するほど環状の部分（結束部分）が収縮され、締付力が強くなる。特に、係止爪は、鋸歯状列歯を一旦係止させると、その後の解除操作ができないように構成されているため、ユニット本体を固定状態に保ち、不正行為を確実に防止することができる。また、結束バンドが切断された場合には、機種ユニットを交換することが可能になるが、この場合には、結束バンドが切断されたという痕跡が残ることから、不正な行為が行われたか否かを把握することが可能になる。なお、遊技店舗において旧機種の機種ユニットを取外す際には、結束バンドを鋏等で切断するだけでよいことから、交換時における作業者の負担を軽減することができる。
【００２２】
手段６：手段１〜手段３のいずれか一つの構成において、「前記ユニット保持手段は、前記ユニット本体と前記筐体とに跨って貼着される封印シールである」ことを特徴とする。
【００２３】
手段６の構成によれば、封印シールによってユニット本体の固定状態が保持される。なお、機種ユニットを交換するために封印シールが剥がされた場合には、その痕跡が残ることから、不正な行為が行われたか否かを容易に把握することができる。このように、封印シールを用いてユニット本体と筐体とを連結するようにすれば、極めて簡単な構成で固定状態を保持することが可能になるとともに、第一貫通孔や第二貫通孔等が不要となることから、ユニット本体や筐体の構成も簡単になる。
【００２４】
手段７：手段１〜手段６のいずれか一つの構成において、「前記遊技機は、パチンコ機である」ことを特徴とする。パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、センターフレーム、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【００２５】
なお、パチンコ機としては、種々のタイプのものがあり、一般に「デジパチ」と称されるものに代表される「入球口への入球状態を検出する入球状態検出手段（すなわち遊技状態検出手段）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の装飾図柄からなる装飾図柄列を変動表示させるとともに、所定のタイミングでキャラクタ等を出現させる演出表示手段を更に具備するもの」、一般に「ハネモノ」と称されるものに代表される「役物内での遊技球の振分けによって抽選を行う抽選手段を備えたもの」、一般に「アレパチ」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【００２６】
手段７によると、パチンコ機において、手段１〜手段６までのいずれかの作用効果を奏することができる。
【００２７】
手段８：手段１〜手段６のいずれか一つの構成において、「前記遊技機は、パチスロ機である」ことを特徴とする。パチスロ機とは、遊技媒体であるメダルを投入し、メダルの投入後、始動用操作手段（例えば操作レバー）の操作に応じて複数の図柄からなる図柄列を変動表示させるとともに、その後、停止用操作手段（例えばストップボタン）の操作に応じて図柄列の変動を停止させる、といった実質的な遊技を行うものであり、停止操作機能付きのスロットマシンである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【００２８】
手段８によると、パチスロ機において、手段１〜手段６までのいずれかの作用効果を奏することができる。
【００２９】
手段９：手段１〜手段６のいずれか一つの構成において、「前記遊技機は、パチンコ機とパチスロ機とを融合させてなる遊技機である」ことを特徴とする。ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別有利状態を発生させたりするものである。
【００３０】
手段９によると、パチンコ機とパチスロ機とを融合させてなる遊技機において、手段１〜手段６までのいずれかの作用効果を奏することができる。
【００３１】
なお、上記に例示したパチスロ機や、パチンコ機とパチスロ機とを融合させた遊技機等のように、投入する媒体によっては実質的な遊技が行われない遊技機では、一見、遊技媒体が存在しないかのように思われるが、このような遊技機であっても、遊技内容の全体において、遊技球やその他の適宜の物品を用いて行われる遊技を含ませることが想定できる。よって、このような遊技機であっても、遊技媒体を用いて遊技が行われる遊技機の対象とすることができる。
【発明の効果】
【００３２】
このように、本発明によれば、交換可能部分をユニット化することにより、機種変更にかかる費用の負担を軽減するとともに、交換部分の小型化及び軽量化によって入れ替えにおける作業性を向上し、機種の変更を容易に行わせることができる。また、交換可能部分に対する不正行為を抑制することができる。
【発明を実施するための最良の形態】
【００３３】
以下に本発明の実施の形態を遊技機たるスロットマシンを例に図面を参照しつつ説明する。なお、図１はスロットマシンの分解斜視図、図２は扉形前面部材を省略した状態を示すスロットマシンの分解斜視図、図３はスロットマシンの斜視図、図４は扉形前面部材を省略した状態を示すスロットマシンの縦断面図、図５は図４のＺ１部拡大図、図６はコネクタホルダーを移動させた状態を示す図４のＺ１部拡大図、図７は扉形前面部材を省略した状態を示すスロットマシンの横断面図、図８（ａ）は図７のＺ２部拡大図、図８（ｂ）はコネクタホルダーを移動させた状態を示す図７のＺ２部拡大図、図９は図８（ａ）の要部を示す拡大図、図１０は背板側を示すスロットマシン要部の横断面図、図１１はケース部材の分解斜視図、図１２はケース部材を後ろから見た斜視図、図１３（ａ），（ｂ）はコネクタホルダーの仮止め状態を説明するケース部材の要部の斜視図、図１４は配線中継部材の分解斜視図、図１５は配線中継部材のカバー体を省略した正面図、図１６−１，図１６−２はコネクタホルダーの分解斜視図、図１７はケース部材を止めるストッパーの斜視図、図１８は他の形態を示すストッパーの斜視図、図１９，図２０はケース部材のガイド構造を示す要部の断面図、図２１は把手の他の形態を示す図柄変動表示装置の部分斜視図、図２２はケース部材と外本体側のストッパーとの関係を示す要部の斜視図、図２３は配線窓と図柄変動表示装置のリールとの関係を示す要部の断面図、図２４はスロットマシン上部の縦断面図、図２５はメダル放出装置を省略してスロットマシンの下半部を示す斜視図、図２６は図２５の分解斜視図、図２７はスロットマシンの裏側から放熱口を見た背面図、図２８は電源装置を示すスロットマシンの一部断面部分正面図、図２９は電源装置を下から見上げた状態を示す斜視図、図３０は他の形態を示すもので外本体の側板と電源装置の要部断面図、図３１は他の形態を示す照明装置の概略断面図、図３２は透明板と発光ユニットを分解して示す扉形前面部材の斜視図、図３３は透明板を分解して示す扉形前面部材の斜視図、図３４は透明板を装着した扉形前面部材の図３２Ａ−Ａ線相当断面図、図３５はヒンジ金具の分解・組み立て斜視図、図３６はヒンジ金具の連鎖を示す線図、図３７は扉形前面部材を示す要部の横断平面図、図３８は開く途中の扉形前面部材を示す要部の横断平面図、図３９は扉形前面部材の上半部を示す裏側から見た斜視図、図４０は連結具を縦方向に切断した断面斜視図、図４１は他のヒンジ金具の例を示す扉形前面部材の要部横断平面図、図４２は図４１の扉形前面部材の開く途中を示す要部の横断平面図、図４３は機種ユニットにおいて前面開閉部材を開いた状態を示す斜視図、図４４は連結具を連結したまま扉形前面部材を開いた状態を示す斜視図である。
【００３４】
本発明のスロットマシン１は、図１及び図２に示すように、前面が開口する箱形の外本体１００と、該外本体１００の前面に回転軸１００ａをもって横開きの扉状に回動可能に取り付けた扉形前面部材２００と、複数の図柄を駆動手段で変動させる図柄変動表示装置３００と、前記外本体１００に対し着脱自在であって前面に開口部４０１を有するケース部材４００と、任意の画像を表示する画像表示体５００と、を有する。ここで、外本体１００が本発明の筐体に相当し、ケース部材４００が本発明のユニット本体に相当する。さらに画像表示体５００が演出表示装置に相当し、前面開閉部材としても機能している。
【００３５】
［外本体］
外本体１００は、図１〜図４に示したように底板１０１の左右に側板１０２，１０２を取着すると共に該側板１０２，１０２の頂部に天板１０３を設置して正面視縦長「口」字形の枠状となし、その枠の背に背板１０４を固着して前面のみ開口する箱形に形成してなる。前記左右の側板１０２，１０２は前縁が後傾状態に僅かに傾斜する台形になっており、従って外本体１００の開口は後傾状態の傾きを有する。また、前記天板１０３には、遊技機設置島（図示せず）に設置した状態で該遊技機設置島の上桟６００（図２４想像線参照）と対向する領域内に複数（実施形態では４個）の貫通孔１３２，１３２…が穿設されている。
【００３６】
［外本体−仕切板］
外本体１００内には高さのほぼ中央に棚板状の仕切板１０５が設けられている。該仕切板１０５は金属製であって、図１，図２に示したように中央に突段部１０６を有する正面視略凸形であり、両端に形成した垂直な取付片１０７を外本体１００の側板１０２，１０２内面に固着し、また、後端に形成した垂直な取付片１０８を外本体１００の背板１０４内面に固着して取り付けられる。なお、仕切板１０５の後端の取付片１０８にはバーリング加工（下孔の孔径をポンチで広げながら短筒状の突起を立ち上げる金属加工）による筒状突起（図示せず）が形成されており、該筒状突起を外本体１００の背板１０４にプレ加工した小孔（図示せず）に打ち込んで位置決めされる。また、仕切板１０５の両横の最奥部には外本体１００の背板１０４との間に配線用の開口１０９が形成されている。
【００３７】
［外本体−仕切板−下スペース］
外本体１００内の前記仕切板１０５より下のスペースには、遊技媒体たるメダルを前記扉形前面部材２００の前面下部にあるメダル用受皿２０１に放出するメダル放出装置１１０と、メダル放出装置１１０からオーバーフローするメダルを貯めるメダル用補助収納箱１１１と、電源装置１１２等が設けられている。
【００３８】
［外本体−仕切板−下スペース−メダル放出装置］
前記メダル放出装置１１０は、駆動手段を内蔵した装置本体１１０ａにメダル貯留用のホッパ１１０ｂを取り付けたものであり、装置本体１１０ａの前面にメダルの放出口１１０ｃが設けられていて、ホッパ１１０ｂ内にあるメダルが前記駆動手段の作動により放出口１１０ｃに向けて１枚ずつ送り出される。また、ホッパ１１０ｂには溢れたメダルを排出させるオーバーフロー樋１１０ｄが設けてあり、そのオーバーフロー樋１１０ｄの突端下方に前記したメダル用補助収納箱１１１が臨む。なお、メダル放出装置１１０のメダル放出機構は、現在公知のどのようなものを採用してもよく、よって詳細な説明を省略する。
【００３９】
［外本体−仕切板−下スペース−電源装置］
前記電源装置１１２は、図２５〜図２９に示したように、外本体１００の底板１０１と、正面向かって左側の側板１０２と、背板１０４の三部材が直交する内側コーナー部分に取り付けられている。電源装置１１２は、前記メダル放出装置１１０等の電気部品に電気を供給するためのものであって発熱しやすい部品であり、従って外本体１００の背板１０４には電源装置１１２の取付部位に放熱口１０４ａが開設されている。
【００４０】
電源装置１１２の装置ケース１１２ａは、透明な合成樹脂で形成されている。こうすることにより装置ケース１１２ａの内部が見えるから、電源装置１１２の基板１１２ｓ（図２９参照）等に対する不正工作の発見が容易になる。
装置ケース１１２ａは、上面をカバーする上面板１１２ｂと、外本体１００の背板１０４に対向する後面板１１２ｃと、該後面板１１２ｃの反対側をカバーする正面板１１２ｄと、スロットマシン１の内部に向かう側をカバーする側面板１１２ｅと、上面板１１２ｂと側面板１１２ｅの境界部分を面取り形態にカバーする斜面板１１２ｆと、底部をカバーする底面板１１２ｒ（図２９参照）で形成されている。一方、装置ケース１１２ａの、外本体１００の側板１０２に対向する側の面はカバーされておらず開放状態にあるが、この開放面は外本体１００に取り付けた状態で外本体１００の側板１０２によって塞がれる。
【００４１】
なお、外本体１００の側板１０２には図２５，図２６に示したように凸面部１０２ａを設けて段状のガード部１０２ｂを形成し、該ガード部１０２ｂの下に装置ケース１１２ａの上面板１１２ｂの一側を潜り込ませる仕様になっている。これにより装置ケース１１２ａの一面をカバーしなくてもガード部１０２ｂによって装置ケース１１２ａと側板１０２の継ぎ目が塞がれるから異物の差込みが行えない。図３０は前記ガード部１０２ｂを溝状にした他の実施形態を示すものであり、この例では装置ケース１１２の上面板１１２ｂの縁を側板１０２側に若干突出させてその先をガード部１０２ｂの溝に嵌め込むようになっている。
【００４２】
このように電源装置１１２の装置ケース１１２ａにおいて、外本体１００の側板１０２に当接する側の面をカバー無しの開放構造にして使用時に前記側板１０２で塞がるようにした場合は、装置ケース１１２ａ内への基板１１２ｓ等の組み込みが開放面を使って行い易く、また、装置ケース１１２ａに基板１１２ｓ等を組み込んだ後の開放面へのカバー付けが不要であるから作業性が向上する。
【００４３】
前記装置ケース１１２ａの上面板１１２ｂ、側面板１１２ｅ、斜面板１１２ｆ、後面板１１２ｃ、底面板１１２ｒには多数の通気孔１１２ｇ，１１２ｇ…が形成されていて内部に熱がこもらないようになっている。装置ケース１１２ａは、底部に設けた脚部１１２ｈ，１１２ｈ…によって高床式に持ち上げられており、装置ケース１１２ａの底面板１１２ｒと外本体１００の底板１０１の間に通気空間１１２ｉが形成されている。従って、通気空間１１２ｉから底面板１１２ｒの通気孔１１２ｇ，１１２ｇ…を通って低層の比較的冷たい空気が装置ケース１１２ａ内に導入できる。実施形態の通気空間１１２ｉは、外本体１００の前記放熱口１０４ａに連通するようになっているため、機裏の冷たい空気を通気空間１１２ｉに導入することができる。なお、装置ケース１１２ａの後面板１１２ｃと底面板１１２ｒの境界部に前記通気空間１１２ｉを嵩上げする逆Ｌ字形の段部１１２ｊ（図２９参照）を形成すれば、脚部１１２ｈの高さと放熱口１０４ａの高さにズレがあっても通気空間１１２ｉを放熱口１０４ａに連通させることができる。
【００４４】
［外本体−仕切板−下スペース−電源装置−固定］
電源装置１１２は、装置ケース１１２ａの正面板１１２ｄの一側辺に対して直角である取付片１１２ｋと、装置ケース１１２ａの後面板１１２ｃから外本体１００の背板１０４に向けて突設した突部１１２ｍと、外本体１００の背板１０４に開設した放熱口１０４ａと、の組合せにより外本体１００に固定される。
【００４５】
すなわち、放熱口１０４ａの輪郭は装置ケース１１２ａの後面板１１２ｃの輪郭より小さく形成されており、従って電源装置１１２は外本体１００の背板１０４に当たって放熱口１０４ａを通らない。また、装置ケース１１２ａの後面板１１２ｃに突設した突部１１２ｍは、前記放熱口１０４ａに内接する位置にあり、電源装置１１２の浮き上がり動作に抗すべく放熱口１０４ａの上辺に内接する水平な突片１１２ｍ−１と、電源装置１１２の横転動作に抗すべく放熱口１０４ａの縦辺に内接する垂直な突片１１２ｍ−２で構成される。従って、電源装置１１２を外本体１００の側板１０２の内面に沿わせて押し込み、放熱口１０４ａに突部１１２ｍを差し込むだけで、装置ケース１１２ａの後面（奥側）の上方向（浮き上がり）と図２５において右方向（横転）への固定が完了する。もちろん電源装置１１２は、下方向に対しては外本体１００の底板１０１によって、また、図２５において左方向に対しては外本体１００の側板１０２によってその動きが規制されるため、放熱口１０４ａに突部１１２ｍを嵌め込むだけの単純な操作で、手前に引っ張る方向以外について電源装置１１２の動きが完全に規制できる。
【００４６】
一方、正面板１１２ｄに突設した取付片１１２ｋにはビス用の透孔１１２ｐが複数穿設されており、該透孔１１２ｐの少なくとも１個に木ねじ１１２ｑを通して外本体１００の側板１０２に固定する。これにより手前に引っ張る方向についても電源装置１１２の動きが規制されるため、１本の木ねじ１１２ｑで外本体１００への電源装置１１２の確実な固定が可能である。
【００４７】
［外本体−仕切板−下スペース−電源装置−電源コード］
電源装置１１２には外部から電気の供給を受けるための電源コード（図示せず）が接続されている。そして、従来は前記放熱口１０４ａの横に膨出部を設けてそこから前記電源コードを引き出すようにしていたが、この位置では電源コードを束ねても地面にすれる危険性が高い。スロットマシン１は、製造途中で電源を投入する場合があり、そのときに備えて外本体１００の外に電源コードを出しておかなければならないから、製造ライン上での移動の際やライン間での移動の際に電源コードが地面にすれたりスロットマシン１の底板１０１の下に入って挟まるおそれがある。
【００４８】
これに対し実施形態の放熱口１０４ａは、その上辺から上に向けてコード引出口１０４ｂを拡張し、そこから電源コードを引き出すようにしている。これにより束ねた電源コードを宙づり状態にぶら下げるに十分な高さが確保できる。よってスロットマシン１を製造する工程で誤って電源コードを傷めてしまうトラブルが激減する。
【００４９】
以上のように本発明のスロットマシン１は、電源装置１１２を外本体１００の内側コーナー部分にセットして１本の木ねじ１１２ｑをねじ込むだけで取り付けが完了するため、従来に比べて電源装置１１２の取付作業の大幅な省力化が可能である。また、本発明では、１つの面に対してネジ止めすれば固定が完了するので、特に、固定する部位を電源装置１１２の前方（手前）に持ってきた場合は視認しやすく、確実に固定できる。ちなみに、従来は電源装置１１２の複数の面或は部材に対してネジ止めする必要があり、特に、背板１０４に固定するネジは視認しにくいため忘れる可能性があった。
【００５０】
また、放熱口１０４ａは、電源装置１１２の冷却手段として必要なものであるから、この放熱口１０４ａを電源装置１１２の固定に利用しても余分な工程やコストは殆ど発生しない。却って、固定のために放熱口１０４ａの位置と電源装置１１２の位置を一致させることになるから冷却効率が向上する。加えて、装置ケース１１２ａを実施形態のごとく合成樹脂製にした場合には、取付用の突部１１２ｍも一体成形できるため殆どコストが掛からない。よって電源装置１１２の取り付けに要するトータルのコストも従来に比べて削減できる。
【００５１】
さらにまた、装置ケース１１２ａを合成樹脂製にした場合には、電源装置１１２の発熱対策として有用な装置ケース１１２ａの脚部１１２ｈや段部１１２ｊも殆どコストを掛けずに実施できるメリットがある。
【００５２】
［外本体−仕切板−上スペース］
一方、外本体１００内の仕切板１０５より上のスペースには前記ケース部材４００が納められ、また、外本体１００の背板１０４の内面には後述する配線手段の中核となる配線中継部材１１３が取り付けられ（図１，図２参照）、さらに背板１０４には配線中継部材１１３より上方に放熱用の通気口１３３が形成されている。
【００５３】
［扉形前面部材］
図３に扉形前面部材２００の表側が、また、図１に扉形前面部材２００の裏側が示されている。扉形前面部材２００は、表側の下方にメダル用受皿２０１を有し、また、表側のほぼ中央に操作部２０２が設けられている。この操作部２０２には、メダル投入用の投入口２０３と、後述するメイン基板４０９のメモリーにデータとして蓄えられているメダルから１枚のみの投入（引き落とし）を指示する１枚投入ボタン２０５と、同じく１回のゲームで使用可能な最高枚数（例えば３枚）の投入を指示するＭＡＸ投入ボタン２０６と、後述するメダルセレクタ２０７の中に詰まったメダルをメダル用受皿２０１に戻すためのメダル返却ボタン２０８と、メイン基板４０９のメモリーにデータとして蓄えられているメダルの貯留解除命令（精算による放出命令）を入力するための貯留解除スイッチ２０９と、前記図柄変動表示装置３００を作動させる始動レバー２１０と、図柄変動表示装置３００の各リール３０１ａ，３０１ｂ，３０１ｃを停止させる３個のリール停止ボタン２１１ａ，２１１ｂ，２１１ｃ等が設けられている。もちろんここに示した操作部２０２の構成は１つの例示であり、これらに限定されるものではない。ここで、操作部２０２が本発明の遊技操作部に相当する。
【００５４】
また、前記投入口２０３の裏側にはメダルセレクタ２０７が設けられており、そのメダルセレクタ２０７の横にメダル樋２１２が、また、下に返却樋２１３が接続している。メダルセレクタ２０７は内蔵したソレノイド（図示せず）をＯＮ・ＯＦＦさせることによって流路を切り替える公知のものであり、遊技者からのメダルの投入を待つ遊技状態のときには流路をメダル樋２１２側に、また、規定枚数を超えたメダルの投入など、メダルの投入を拒否する遊技状態のときには流路を返却樋２１３側に設定する。前記メダル樋２１２は、扉形前面部材２００が外本体１００の前面に被さる閉じ位置にあるときその突端がメダル放出装置１１０のホッパ１１０ｂ内に臨むようになっており、投入口２０３からメダルセレクタ２０７を通ってメダル樋２１２に流れたメダルはホッパ１１０ｂに行き着く。一方、前記返却樋２１３は表側のメダル用受皿２０１に繋がっており、投入口２０３からメダルセレクタ２０７を通って返却樋２１３に流れたメダルはメダル用受皿２０１に戻る。
【００５５】
［扉形前面部材−透視窓］
扉形前面部材２００は、外本体１００の前面全体をカバーする大きさであって、その上半部は、図３２，図３３に示したように、透明板２１４ａで覆ったゲーム用の透視窓２１４になっている。実施形態の透視窓２１４並びに透明板２１４ａは、前記画像表示体５００と図柄変動表示装置３００が上下に並んで見えるよう通常より大きくなっており、扉形前面部材２００と一体の額フレーム２１６によって画像表示体５００と図柄変動表示装置３００の領域が視覚上、上下に区画されている。このように一枚の透明板２１４ａを、画像表示体５００と図柄変動表示装置３００の双方をカバーする大きさに設定しておけば、画像表示体５００と図柄変動表示装置３００の配置が上下入れ替わっても、そのまま使用することができる。
【００５６】
［扉形前面部材−透視窓−透明板］
透明板２１４ａは、透明な合成樹脂（例えば耐衝撃性、耐擦傷性、光学特性に優れたゴム入りのメタクリル樹脂、実施形態では三菱レイヨン株式会社製「アクリペット（登録商標）ＩＲ  Ｄ３０」を使用）をほぼ逆さ台形にした上広がりの形態であって、底辺を除く三辺（左右側辺と上辺）の周縁に、遊技者と向かい合う側を前面としてその前面側に膨出する縁部材２１４ｂ，２１４ｂ，２１４ｂを、樹脂成型用型枠を用いての樹脂成型時に一体成型してなる。このように平らな板状の透明板２１４ａの周縁に縁部材２１４ｂを一体に成型した場合には、縁部材２１４ｂが補強バーになって透明板２１４ａ全体の強度を高めるため、透明板２１４ａが上記のように画像表示体５００と図柄変動表示装置３００の双方をカバーする程度に大きくても撓みや歪みが生じにくい。
【００５７】
前記縁部材２１４ｂは、図３４に示したように、後面側に開口する殻構造（中実でなく、内部に空間がある殻のような構造であり、各部の肉厚は任意である。）になっており、その内部空間に発光ユニット２１７と、必要に応じて例えば表面に模様や文字を施した装飾部材（図示せず）が組み込まれる。
【００５８】
なお、図３３では、発光ユニット２１７が扉形前面部材２００に取り付けられているように描かれているが、実際の発光ユニット２１７は、図３４に示したように縁部材２１４ｂの中に嵌め込まれている。従って、透明板２１４ａと発光ユニット２１７は、一体の部品として取り扱われる。
【００５９】
縁部材２１４ｂの形状は図示したものに限定されず、発光ユニット２１７や装飾部材のデザインに合わせて任意に変更可能である。また、縁部材２１４ｂを設ける部位も実施形態のように透明板２１４ａの周縁の三辺に限定されず、最低限、何れかの一辺に設けるだけでもよい。
【００６０】
その他、図３２，図３３において符号２１８は、透明板２１４ａの上の左右コーナー部分に設けた固定部材であって、透明板２１４ａの裏側から透孔２１４ｃ（図３２拡大図参照）に通したビス（図示せず）により、縁部材２１４ｂと縁部材２１４ｂの間に嵌った図３３の状態で止められている。該固定部材２１８は、外見上コーナー飾りとしての役割を果たす一方、扉形前面部材２００と透明板２１４ａの夫々の上のコーナー部分に設けた通孔２００ａ，２１４ｄ（図３２拡大図参照）に対し扉形前面部材２００の裏側から通したビス（図示せず）に螺合し、もって透明板２１４ａを扉形前面部材２００に固定するナット的な役割を果たす。
【００６１】
また、図３２〜図３４において、符号２１７ａは発光ユニット２１７の発光体、２１７ｂは発光体２１７ａを支持する反射部材である。
左右に位置する発光ユニット２１７の反射部材２１７ｂは、図３４に示したように、棒状の発光体２１７ａの光をスロットマシン１の周囲に向けて多く反射するように角度が設定されている。なお、透明板２１４ａの縁部材２１４ｂの内部に発光ユニット２１７を組み込んだ形態は、発光体２１７ａをスロットマシン１の、より手前側に配置することができるから、あたかも岬の突端にある灯台のごとく、光を周囲に向けて放射させる場合に有利である。また、上に位置する発光ユニット２１７の反射部材２１７ｂは、発光体２１７ａ（光源２１７ａ−１と導光板２１７ａ−２の組合せ）の光をスロットマシン１の上方に向けて多く反射するように設定されている。
【００６２】
以上の構成である発光ユニット２１７は、遊技中、特に大当たりが出た場合などに点灯して大当たりの発生を周囲にアピールする演出を行うことができる。このように周囲に対しアピール度の高い演出を行うことによって、大当りを得た遊技者に注目させることができ、多くの者の視線が遊技者に優越感を抱かせるから、遊技がさらに盛り上がる。また、大当たりが出ていることを周囲にアピールすることにより、その機種の人気が高まり、稼働率が向上することも期待される。
【００６３】
実施形態の透明板２１４ａは以上のような構成であって、扉形前面部材２００の裏側に設けた凹溝２１９（図３３拡大図参照）に対し、板状の底辺を扉形前面部材２００の前面から斜めに差し入れて建具式に嵌め込み、その状態で透明板２１４ａを直立させて扉形前面部材２００の前面に全ての縁部材２１４ｂ，２１４ｂ，２１４ｂを当接させ、さらに扉形前面部材２００の裏から通したビス６０３（図１参照）によって固定する。図３４は、このときの扉形前面部材２００の要部を切断したものであり、この図３４から明らかなように、もし仮に、遊技者が扉形前面部材２００と縁部材２１４ｂの境から異物を無理矢理差し込んだとしても、その異物の先が縁部材２１４ｂの内部を横断して透明板２１４ａの裏側に到達する余地は殆どない。従って、優れた防犯効果を発揮する。
【００６４】
［扉形前面部材−錠装置］
扉形前面部材２００の自由端側の一側には専用キー（図示せず）を使って開閉操作する錠装置２１５が設けてある。
【００６５】
［図柄変動表示装置］
図柄変動表示装置３００はリール回転式表示装置であって、モータ等の駆動手段３０３で個別に回転可能な例えば３個のリール３０１ａ，３０１ｂ，３０１ｃと、該リール３０１ａ，３０１ｂ，３０１ｃを組込み・収容する装置ケース３０２とを有し、リール３０１ａ，３０１ｂ，３０１ｃの周面に描いた複数の図柄（図示せず）の組合せで遊技を行う周知のものである。
【００６６】
前記装置ケース３０２は、あたかも横倒しにした八角柱から正面（遊技者）に向かう３面を除いた変形六角柱形態であって、底部板３０４と、天部板３０５と、図１１において向かって右側の右側板３０６と、同じく左側の左側板３０７と、後面を覆う垂直な後部板３０８と、天部板３０５と後部板３０８の間に設けた上斜板３０９と、底部板３０４と後部板３０８の間に設けた下斜板３１０で囲った箱形であり、前記リール３０１ａ，３０１ｂ，３０１ｃの円弧の一部が装置ケース３０２の正面からはみ出す状態になっている。
【００６７】
また、装置ケース３０２の天部板３０５には指掛可能な使用状態と、天部板３０５に伏した不使用状態とに変化可能な把手３１１が設けられており、該把手３１１に指を掛けて持ち運ぶようになっている。
【００６８】
このように装置ケース３０２の天部板３０５に上記のごとく変化可能な把手３１１を設ける構成は、ケース部材４００の強度アップ策と密接に関連する。すなわち、実施形態では後述するようにケース部材４００の開口部４０１に補強桟４０２を設け、もってケース部材４００の開口部４０１に画像表示体５００を片持ちさせるに十分な強度を付与しているが、そのような補強桟４０２は開口部４０１を横切るから装置ケース３０２のケース部材４００への出し入れに対し、明らかに障害となる。これに対し実施形態のように把手３１１を変化可能にして天部板３０５に伏させておけば、把手３１１の出っ張りがなくなるから、装置ケース３０２が補強桟４０２の下を難なく通過できるのである。従って、装置ケース３０２の天部板３０５に上記のように変化可能な把手３１１を設けてこそ、ケース部材４００の開口部４０１に該開口部４０１を横切る向きの補強桟４０２を設けることが可能になる。ちなみに、従来の装置ケースは、天部板から把手が出っ張ていてそれが障害になるため、ケース部材の開口部に補強桟を設ける余地がない。
【００６９】
なお、実施形態の把手３１１は、立てた使用状態と伏した不使用状態とに揺動して変化させる構造としたが、把手３１１を使用状態と不使用状態とに変化させ得る構造は、実施形態に限定されない。例えば図２１に示したように、天部板３０５に２つのベルト通し３１４，３１４を切り起こし、該ベルト通し３１４，３１４に例えば合成樹脂や革製であって両端に抜け止め部３１５，３１５を設けてなる帯状の把手３１１を挿通し、図２１の伏した不使用状態から中央を引き上げて指掛可能な使用状態に変化させる構造にするなど、指掛可能な使用状態と、天板部３０５に伏した不使用状態とに変化可能であれば、どのような構造であってもよい。
【００７０】
また、実施形態の装置ケース３０２の底部板３０４には図４，図１１に示したようにフランジ状の下把手３１６が突設されており、該下把手３１６をつかんで装置ケース３０２を押し込み又は引っ張ることにより、ケース部材４００への出し入れが行い易くなっている。
【００７１】
［ケース部材］
ケース部材４００は、前記外本体１００の仕切板１０５から上のスペースにほぼ合致する大きさであって、底板４０３と、該底板４０３の左右両横に立設した側板４０４，４０４と、底板４０３の後縁に立設した後面板４０５と、該後面板４０５と前記側板４０４，４０４の上面を覆う天板４０６とからなり、前面に開口部４０１を有する箱形である。
【００７２】
該ケース部材４００は、底板４０３が金属製で、側板４０４，４０４、後面板４０５、天板４０６が合成樹脂製であり、側板４０４，４０４と天板４０６の開口部４０１内面に金属製の補強部材４０７，４０７，４０７が設けられ、さらに側板４０４，４０４の補強部材４０７，４０７の間に開口部４０１を横切る金属製の補強桟４０２が掛け渡されている。そして、この補強桟４０２を境にそれより下が前記図柄変動表示装置３００の設置領域として、また、補強桟４０２より上の開口部４０１が前記画像表示体５００の設置領域として、さらにまた、画像表示体５００より後方のケース部材４００で囲われた領域が配線作業空間４０８として割り当てられ、その配線作業空間４０８の後面板４０５の内壁面に、主たる制御基板であるメイン基板４０９が装着され、さらにメイン基板４０９以外の制御基板等（例えば演出制御基板５１０（図４３参照））も配線作業空間４０８内に装着されている。ここで、メイン基板４０９は、操作部２０２の操作等に基づいて遊技の進行を制御するものであり、本発明の遊技制御手段に相当する。また、演出制御基板５１０は、遊技の進行に準じて所定の演出制御を実行するものであり、本発明の演出制御手段に相当する。
【００７３】
ケース部材４００の天板４０６には、図１に示したように天窓部４４３，４４３が形成されている。この天窓部４４３，４４３は、天板４０６の強度を保つための補強帯４４４を挟んで２つに分けられており、その夫々が前記外本体１００の貫通孔１３２，１３２…を通る軸線との交点を含む領域にあり、該貫通孔１３２，１３２…より十分に広く開口している。もっとも天窓部４４３の前側の周縁は前側に位置する貫通孔１３２の近くに寄せられている。そうすることにより天窓部４４３の周縁を基準として手探りで貫通孔１３２が見つけ出せるから、たとえ天窓部４４３の中を作業者が覗き込めなくとも貫通孔１３２の位置が素早く簡単に割り出せる。ここで、天窓部４４３が本発明の開口部としても機能している。つまり、ケース部材４００の上面に開口部として複数の天窓部４４３を備えることにより、軽量化を図ることができ、輸送時や交換時における作業者の負担を一層軽減することが可能になる。
【００７４】
ケース部材４００の後面板４０５の外面には図２，図５，図６，図１２に示したように複数のボス４１０，４１０が突設されており、該ボス４１０を外本体１００の背板１０４にプレ加工したボス孔１１４，１１４に嵌めて位置決めされる。なお、このボス４１０，４１０は、図２，図５に示したように後述する配線窓４１１近くに設けられており、一方、外本体１００側のボス孔１１４，１１４は前記配線中継部材１１３近くに設けられており、これによりケース部材４００の配線窓４１１と背板１０４の配線中継部材１１３の位置決めが正確になる。
【００７５】
一方、ケース部材４００の底板４０３の底面には、図２に示したように凹段部４１２が形成されており、該凹段部４１２が前記仕切板１０５の突段部１０６に嵌まり合う。凹段部４１２の後面板４０５側の端部には後方に向かって拡大する向きのテーパ部４１３が設けてあり、該テーパ部４１３に案内され仕切板１０５の突段部１０６とケース部材４００の凹段部４１２との嵌め合わせが円滑に行える。このようにケース部材４００の凹段部４１２と仕切板１０５の突段部１０６の嵌め合いによってケース部材４００が仕切板１０５の奥に真っ直ぐに案内されるが、例えば図１９に示したように仕切板１０５に凹溝形態のレール部材１１５を敷設又は一体にプレス成形し、一方、ケース部材４００の底板４０３に車輪４１４を設置し、該車輪４１４をレール部材１１５の溝内で転がらせるようにしてもよい。或は、図２０に示したように仕切板１０５に凸形態のレール部材１１６を敷設又は一体にプレス成形し、一方、ケース部材４００の前記車輪４１４の両端に鍔４１５，４１５を形成し、該車輪４１４の鍔４１５，４１５でレール部材１１６を挟ませるようにしてもよい。
【００７６】
また、ケース部材４００は、仕切板１０５上の所定の位置にセットした状態で、図１，図２，図１７，図２２に示した揺動レバー形態のストッパー１１７，１１７，１１７で止められている。このストッパー１１７は、図１，図２に示したように仕切板１０５の前端部と、天板１０３に垂設した２つの取付具１１８，１１８とに軸着されており、図１７実線のようにケース部材４００の一部に係合する作動姿勢と、図１７想像線のようにケース部材４００に係合しない非作動姿勢とを手動で切り替えてケース部材４００の仕切板１０５上における前方向の動きを規制する。なお、ストッパー１１７を図１８に示したように鍵形にしてケース部材４００に設けた引掛部４１６に係合させるようにすれば、ケース部材４００の仕切板１０５上における上方向の動きも規制することができる。
【００７７】
また、天板１０３の取付具１１８に軸着したストッパー１１７は、図２２に示したようにケース部材４００の側板４０４と天板４０６のコーナー部に貫設した係止孔４４２に臨む位置にあり、ケース部材４００を所定の位置に押し込んだ状態でケース部材４００の内側から作動姿勢と非作動姿勢の切り替えが行えるようになっている。
【００７８】
また、ケース部材４００の後面板４０５には外本体１００の背板１０４側に貫通する長孔形態の配線窓４１１が開設されている。該配線窓４１１は、図４，図５，図２３に示したようにケース部材４００に設置した図柄変動表示装置３００の装置ケース３０２の上斜板３０９に対応し且つ前記メイン基板４０９の下側の位置にあり、上斜板３０９の上にある横長の空きスペース４１７（或は上斜板３０９とメイン基板４０９の間に形成される横長の三角スペース４１７と観念してもよい。）と背板１０４を結ぶ開口として機能する。
【００７９】
また、ケース部材４００には図５，図１２に示したように空きスペース４１７の高さのほぼ中間位置に棚板状の仮止め部材４１８（以下「仮止め棚」ともいう。）が設けられており、また、後面板４０５の外側であって配線窓４１１の両横にケース部材４００の左右側面に抜ける配線通路たる凹み４１９，４１９が形成されている。
【００８０】
なお、前記配線窓４１１の配置を、図柄変動表示装置３００のリール３０１ａ，３０１ｂ，３０１ｃを基準に特定するならば、配線窓４１１は、図２３に示したように図柄変動表示装置３００のリール３０１ａ，３０１ｂ，３０１ｃの回転中心を通る水平面ＨＬと、リール３０１ａ，３０１ｂ，３０１ｃの最高高さ位置を通る水平面ＨＨとの間の範囲を下限とする状態、つまりその範囲内に下辺を置く高さに配置したものである、と言い換えることもできる。
【００８１】
［画像表示体］
画像表示体５００は、例えば、少なくとも液晶ディスプレイ（他にもプラズマディスプレイや有機ＥＬディスプレイ等でもよい。）で構成される画像表示可能なパネル形のユニットであり、ケース部材４００の前面開口を開閉可能に閉鎖する前面開閉部材９０（図４３参照）としても機能している。なお、画像表示体５００は、図１１においてケース部材４００の左側の側板４０４に設けた補強部材４０７にヒンジ金具４２０を取り付けて（取付位置は図１１斜線部参照）、該ヒンジ金具４２０により回動自在に支持されている。
【００８２】
また、図４３に示すように、画像表示体５００の裏面側には、演出制御基板５１０が組付けられている。このため、液晶ディスプレイ等の画像表示体５００と演出制御基板５１０とを一体的に構成することが可能になり、取扱いが容易になるとともに、両者を繋ぐ配線が省略でき、ケース部材４００内における配線作業空間４０８の煩雑さを抑制できる。また、画像表示体５００が開かれると、演出制御基板５１０がケース部材４００内から飛び出すように出現するため、演出制御基板５１０に対する作業性を著しく向上させることができる。
【００８３】
［画像表示体−ヒンジ金具］
図３５は、ヒンジ金具４２０の分解・組み立て斜視図である。なお、ヒンジ金具４２０は、上下が対称な構造であるため、主として上部について説明する。ヒンジ金具４２０は、前記ケース部材４００の補強部材４０７に取り付く固定部材４２０ａと、画像表示体５００の裏側（図３５の破線領域５００ｓ参照）に取り付く回動部材４２０ｂと、該回動部材４２０ｂと固定部材４２０ａを連結する短リンク４２０ｃ及び長リンク４２０ｄで構成される。
【００８４】
ヒンジ金具４２０の固定部材４２０ａは、棚板形態である横向きの固定片４２０ｅを有し、該固定片４２０ｅの上面に長リンク４２０ｄの一端をピンＰ１で、また、固定片４２０ｅの下面に短リンク４２０ｃの一端をピンＰ２で回動自在に軸着する。一方、ヒンジ金具４２０の回動部材４２０ｂは、棚板形態である横向きの軸承片４２０ｆを有し、該軸承片４２０ｆの上面に長リンク４２０ｄの一端をピンＰ３で、また、軸承片４２０ｆの下面に短リンク４２０ｃの一端をピンＰ４で回動自在に軸着する。
【００８５】
こうして固定片４２０ｅと軸承片４２０ｆと長リンク４２０ｄと短リンク４２０ｃ及びピンＰ１〜Ｐ４は、図３６の線図に示したように四節回転連鎖を構成し、その連鎖の中でも特に、最短リンクである軸承片４２０ｆに向かい合う固定片４２０ｅを固定リンクとする、いわゆる両てこ機構を構成する。この両てこ機構は、図３６（ａ）〜（ｃ）に示したように、画像表示体５００の回動軌道を、扉形前面部材２００の回転軸１００ａを中心とする回動軌道に近似させるべく、それぞれのピン位置が設定されている。つまり、ヒンジ金具４２０が回転中心移動機構として機能しており、扉形前面部材２００の回動位置が変化しても、扉形前面部材２００の回動外縁側と画像表示体５００の回動外縁側との距離が略一定になるようにしている。
【００８６】
なお、長リンク４２０ｄと短リンク４２０ｃは、画像表示体５００がほぼ９０度回動した（開いた）状態で上下に重なり合うように重合領域４２０ｇ，４２０ｈが設定されており（例えば長リンク４２０ｄの重合領域４２０ｇを三角形に膨出させて短リンク４２０ｃの重合領域４２０ｈに重なるようにする。）、その重合領域４２０ｇ，４２０ｈの夫々にピン孔４２０ｉ，４２０ｊが形成されている。このピン孔４２０ｉ，４２０ｊは、両者を同軸上に揃えて棒状の止めピン（図示せず）を差し込むことにより長リンク４２０ｄと短リンク４２０ｃを連結し、もって両てこ機構をロックして画像表示体５００を開いた位置に固定するためのものである。
【００８７】
［画像表示体−ロック片］
図１１，図１２に示したように、ケース部材４００の縦の補強部材４０７のうち前記ヒンジ金具４２０を設けた補強部材４０７の反対側の補強部材４０７（図１１において向かって右側）にはロック片４２１が軸着されており、該ロック片４２１を図１１の状態から時計回りに回動させるとその先端が画像表示体５００の裏側に突設した受部５０８に係合し、この状態で画像表示体５００がケース部材４００の開口部４０１の上部を閉じた位置にロックされる。一方、前記ロック片４２１をロック状態から逆向きに回動させると画像表示体５００のロックが解除され、ヒンジ金具４２０を中心に回動自在になる。通常、ケース部材４００を外本体１００に装着する前の状態では画像表示体５００を閉じ位置にロックして無用な回動を防止し、一方、ケース部材４００を外本体１００に装着した状態では画像表示体５００のロックを解除して回動自在とする。
【００８８】
［画像表示体−連結具］
ところで、外本体１００の扉形前面部材２００とは別に、ケース部材４００に開閉可能な画像表示体５００が設けられることから、ケース部材４００内を視認したりケース部材４００内で作業したりする場合には、まず手前側の扉形前面部材２００を開放し、その後さらに奥側の画像表示体５００を開放しなければならず、これにより作業性を低下させたり煩わしさを与えることが懸念される。
【００８９】
そこで、本例のスロットマシン１では、画像表示体５００の回動方向を扉形前面部材２００の回動方向と同方向にするとともに、扉形前面部材２００と画像表示体５００を適宜な連結具７００で連結し、扉形前面部材２００の開閉に連動して画像表示体５００も一緒に開閉させるようにしてある。これによれば、扉形前面部材２００を開放させると、連結具７００を介して画像表示体５００も同方向に回動し、ケース部材４００の前面が開放される。つまり、画像表示体５００が扉形前面部材２００に連れ回ることとなり、一回の横開き操作によって外本体１００内は勿論、ケース部材４００の内部までも視認させることが可能になる。
【００９０】
ここで、前記のように実施形態の扉形前面部材２００と画像表示体５００とは、ヒンジ金具４２０の両てこ機構によって、画像表示体５００の回動軌跡が扉形前面部材２００の回転軸１００ａを回転中心とする回動軌跡に近似するようになっているものの、それでもなお両者の動きには相対的なずれが生じる。そこで、実施形態の連結具７００は、図３９及び図４０に示したように、画像表示体５００の自由端側の裏面に固定鞘部材７０１を形成し、該固定鞘部材７０１の内部に摺動自在な状態にロッド７０２を納め、そのロッド７０２の先端を扉形前面部材２００の裏面（具体的には錠装置２１５のベース部材２１５ａ）に対し、止め軸７０３で回転可能な状態に連結してある。こうすることにより、図３８のように、扉形前面部材２００の開閉に連動して画像表示体５００が扉形前面部材２００の付属部品であるかのごとく一緒に開閉し、その際生じる両者の動きの相対的なずれを連結具７００のロッド７０２が固定鞘部材７０１に出入りして吸収する。
【００９１】
なお、ロッド７０２が画像表示体５００の回動外縁（自由端）から最も突出したときの最大突出長さは、画像表示体５００が開放位置である場合（例えば９０°開放された場合）の、扉形前面部材２００の回動外縁（止め軸７０３の位置）と画像表示体５００の回動外縁との距離に基づいて設定されている。このため、ロッド７０２の長さを必要最小限の長さとすることができ、連結具の大型化を抑制することが可能になる。
【００９２】
また、前記止め軸７０３は、錠装置２１５のベース部材２１５ａの一部を曲げて形成した支持片２１５ｂ，２１５ｂ，２１５ｂに対し、上下動自在に装着されており、スプリング７０３ａにより常時下向きに付勢されている。よって、この止め軸７０３は、スプリング７０３ａの付勢に抗して上動させることが可能であり、上動させて下端を浮かせることによって前記連結具７００のロッド７０２の着脱が可能である。すなわち、ロッド７０２の先端部分に形成された軸孔部７０２ａに対し上方から止め軸７０３を挿入させ、スプリング７０３ａの付勢力によって保持することが可能になっている。
【００９３】
また、図３９において、符号７０４は連結具７００の固定鞘部材７０１の上面に設けた弾性的な片持ち梁式のストッパであって、前記止め軸７０３から外したロッド７０２を固定鞘部材７０１の内部に納めて保持するためのものであり、ロッド７０２の上面に形成した溝７０５の端部の引掛壁７０２ｂに係合してロッド７０２の盲動を防止する。ロッド７０２には、その側面に摺動方向と直交する方向に摘み片７０６が突設されており、該摘み片７０６を摘んでロッド７０２を強制的に移動させることにより前記ストッパ７０４のロックが外れるようになっている。また、固定鞘部材７０１の先端側底面には、抜止め防止片７０１ａが垂下され、ロッド７０２の溝７０５内に挿入されている。この抜止め防止片７０１ａは、ロッド７０２が最も突出した際に引掛壁７０２ｂと当接し、ロッド７０２が固定鞘部材７０１から抜け出ることを阻止するものである。
【００９４】
また、図３９において、連結具７００の近傍にある符号５０９は、画像表示体５００の回動外縁側の裏面に突設した係合部である。該係合部５０９は、ケース部材４００の開口部４０１を横切る補強桟４０２に係合して、閉じ位置にある画像表示体５００の自由端側の荷重を支えるものである。なお、図１１に示したように、補強桟４０２には、前記係合部５０９を補強桟４０２の上面に円滑に導くべく、画像表示体５００に向かって下り傾斜する滑り台式の案内部４０２ａが設けてある。また、画像表示体５００の係合部５０９は、画像表示体５００とは別の潤滑性に優れた合成樹脂で形成されており、画像表示体５００に対し着脱自在（交換自在）に装着されている。
【００９５】
ところで、扉形前面部材２００と画像表示体５００の回動軌跡の相違に起因する動きの相対的なずれは、上記のような伸縮自在なロッド形式の連結具７００の他、柔軟なワイヤーにしても吸収することができる。但し、連結具が柔軟なワイヤー等であると、扉形前面部材２００を閉じる段階で扉形前面部材２００が開いたまま停止している画像表示体５００にぶつかることになって、円滑さを損なうおそれがある。これに対し、例えば画像表示体５００に巻バネなどの付勢手段を設けて常時閉じ方向に付勢するようにすればよい。そうすることにより扉形前面部材２００の閉じ動作に際し、画像表示体５００が前記付勢力の作用で連結具を引っ張りつつ自力で閉じるから、扉形前面部材２００と画像表示体５００がぶつからない。もちろん扉形前面部材２００と画像表示体５００の連れ回りのための手段は上記に限定されない。例えば、上記において連れ回りのための一要素たるヒンジ金具４２０は、上記のような両てこ機構の構造に限定されず、図４０，図４１に示したような、単独のピン４２０ｋを中心にして画像表示体５００を回動させる単純なものであってもよい。
【００９６】
ケース部材４００に対する画像表示体５００の取着手段をヒンジ構造にして該画像表示体５００を扉状に回動させ得る構成に、上記のように画像表示体５００を閉じ位置にロックするロック手段（上記のロック片４２１）を付加した場合には、ケース部材４００を外本体１００に装着した状態で原則ロックを継続させ、配線作業空間４０８内のチェック等、必要な時にのみロックを解除する、という取り扱いを選択することも可能であり、その場合には画像表示体５００によって配線作業空間４０８内の重要部品（例えばメイン基板４０９や演出制御基板５１０）がブロックできるから、防犯性能の向上に効果がある。
【００９７】
ケース部材４００の開口部４０１上縁と閉じた画像表示体５００の上縁との前後間には隙間１０が設けられており、該隙間１０に通した指で天板４０６の前記補強部材４０７が掴めるようになっている。また、ケース部材４００の天板４０６の前方中央部分（天窓部４４３，４４３の間の補強帯４４４）には把手口４２２が形成されており、該把手口４２２に通した指で天板４０６の補強部材４０７が掴めるようになっている。従ってケース部材４００は、取り扱う場所や姿勢に応じて該把手口４２２と前記隙間１０との適宜な使い分けが可能である。例えば、ケース部材４００を外本体１００に組み込む前の搬送時には把手口４２２を使って鞄形態に持ち運ぶ方がバランスがよく、一方、ケース部材４００を外本体１００に装着した状態では、図４に示したように把手口４２２が外本体１００の奥に隠れて指が入らないため、前記隙間１０から補強部材４０７に指を掛けてケース部材４００を引っ張り出す、という具合である。なお、ケース部材４００の底板４０３の正面中央には前記した装置ケース３０２の下把手３１６（図４，図１１参照）が突出しており、該下把手３１６を持って押し込み又は引っ張ることで外本体１００へのケース部材４００の出し入れが容易に行える。この場合の下把手３１６は、装置ケース３０２がケース部材４００にビスで固着されていることよりケース部材４００と一体であり、従ってケース部材４００の床板４０３の正面に下把手３１６が突設されているに等しい。
【００９８】
［画像表示体−枠部材］
画像表示体５００は、ケース部材４００の開口部４０１の前記補強桟４０２から上の領域のほぼ全部を覆う大きさである。また、画像表示体５００の下側には、ケース部材４００の開口部４０１の前記補強桟４０２から下の領域、つまり図柄変動表示装置３００の前方領域を額縁状に囲う枠部材５０１が一体に垂設されており、該枠部材５０１により前記図柄変動表示装置３００のリール３０１ａ，３０１ｂ，３０１ｃが縁取られる。この枠部材５０１の表面は装飾面になっており、適宜な模様等が描かれている。なお、図示しないが、枠部材５０１にはＬＥＤ等の発光源と、その発光源を制御する発光制御基板と、発光源の前方に配置され光を透過可能な装飾部材とから構成された電飾部が設けられている。ここで、画像表示体５００と枠部材５０１とを組合せたものを、以下、前面開閉部材９０（図４３参照）として説明する。
【００９９】
［画像表示体−枠部材−照明装置］
前記枠部材５０１の裏側上下には照明装置５０２が設けられており、該照明装置５０２によって図柄変動表示装置３００の図柄が明るく照らされる。枠部材５０１は画像表示体５００の下に垂設されていて図柄変動表示装置３００に近いから、そのような枠部材５０１に照明装置５０２を組み込むことで光源を図柄変動表示装置３００に近づけることができる。従って枠部材５０１に照明装置５０２を組み込む手段は、従来の照明装置に比べて低光量でも十分な明るさが確保できる、という特徴がある。
【０１００】
実施形態として例示した照明装置５０２は、図４に示したように、図の紙面と直交する方向（スロットマシン１の幅方向であってリール３０１ａ…の回転軸と同方向）に細長い帯状の基板５０３に多数の発光ダイオード（以下ＬＥＤという。）５０４を並べたものであり、下側の照明装置５０２は、上面を例えば乳白色の透光性蓋板５０５で塞いだチューブ枠５０６の中にＬＥＤ５０４を上向きにして配置し、一方、上側の照明装置５０２は、断面上向きコ字状の例えば乳白色である透光性カバー５０７内にＬＥＤ５０４を下向きにして配置してなる。
【０１０１】
なお、上側の照明装置５０２は、照明方向を図４に示したように真下より遊技者側、すなわち透明板２１４ａ側に向かう斜め下向きに設置してある。実施形態では比較的強い指向性を持ったＬＥＤ５０４の主たる照射領域の中心線Ｌ（図４拡大図参照）を透明板２１４ａに対し斜めに向かわせるべく、基板５０３のＬＥＤ取付面の向きが、前記透明板２１４ａ側に向けて斜め下向きに傾けられている。
【０１０２】
また、もし照明装置５０２の光源として蛍光灯のような棒状発光体を採用した場合には、図４の基板５０３を板状又は光源を包むような凹面状の反射部材に変更し、直射光と反射光の総和により方向付けられる主たる照射領域の中心線が、透明板２１４ａ側の裏面に斜めに当たるように設定すればよい。以上のように照明装置５０２の照射照準を透明板２１４ａに設定すれば、漏れた一部の光がリール３０１ａ，３０１ｂ，３０１ｃの外周面を照らしても殆ど影響はない。
【０１０３】
実験によれば、照明装置５０２の照明方向をリール３０１ａ，３０１ｂ，３０１ｃの周面側に向けた場合には、湾曲するリール３０１ａ，３０１ｂ，３０１ｃの特定部分が強く反射して見辛くなるのに対し、上記のように主たる照射領域の中心線Ｌを透明板２１４ａに対し斜めに向かわせた場合には、透明板２１４ａを介してリール外周面が照らされることにより、リール３０１ａ，３０１ｂ，３０１ｃの広い範囲が明るく見え易くなることが確認できた。その理由として、照明装置５０２から照射した光が扉形前面部材２００の透視窓２１４に嵌めた透明板２１４ａに当たって反射し全体に拡散するか、或は透明板２１４ａが明るく照らされることでリール３０１ａ，３０１ｂ，３０１ｃの広い範囲が明るく見えるか、或はそれらの相乗作用によるものと推測される。
【０１０４】
以上のような上側の照明装置５０２の構造は、下側の照明装置５０２にも採用することができ、もちろん図３１に示したように下側の照明装置５０２にのみ採用することもできる。なお、図３１は図４の上側の照明装置５０２を下側に配置し、下側の照明装置５０２を上側に配置したものであるため、上記照明装置５０２の説明の「上」を「下」に読み替え、「下」を「上」に読み替えればよい。
【０１０５】
ところで照明装置５０２の光源として実施形態のようにＬＥＤを採用した場合には、（ａ）低電圧で駆動するため約２００Ｖの高電圧で駆動する従来の冷陰極管より安全性が高い、（ｂ）冷陰極管より寿命が長い、（ｃ）ガラス管である冷陰極管より丈夫である、（ｄ）多色発光が可能であるため演出の幅を広げることができる、（ｅ）インバータと組み合わせて使用する冷陰極管より軽く、従って画像表示体５００を支えるヒンジ金具４２０の負担が少ない、というメリットがある。
【０１０６】
［配線手段］
前記外本体１００に取り付けられている例えばメダル放出装置１１０や電源装置１１２及び扉形前面部材２００の操作部２０２にある例えば各投入ボタン２０５，２０６や始動レバー２１０（以下、これらの総称として単に「本体側電気部品」という場合もある。）と、ケース部材４００にある例えばメイン基板４０９等（ケース部材側の電気部品の総称として単に「ケース部材側電気部品」という場合もある。）とは電気的に接続されている。そして、実施形態のスロットマシン１は、前面開閉部材９０とケース部材４００とからなる機種ユニット５０（図４３及び図４４参照）が外本体１００に対し着脱自在であるため、機種ユニット５０の交換等に際して本体側電気部品（筐体側電気部品）とケース部材側電気部品とを簡単に接続又は切り離すための合理的な配線手段が設けられている。
【０１０７】
［配線手段−配線中継部材］
前記のように外本体１００の背板１０４の内面上部には、図１４に示した配線中継部材１１３が取り付けられている。該配線中継部材１１３は図４，図５に示したように、前記ケース部材４００の配線窓４１１に対応する位置にあって該配線窓４１１からケース部材４００の空きスペース４１７に臨むようになっている。配線中継部材１１３は、前記本体側電気部品につながる本体側配線類１１９と、前記ケース部材側電気部品につながるケース側配線類４２３とを中継するものであって、外本体１００の背板１０４にビス止めされる取付板１２０と、該取付板１２０の前面に被さるカバー体１２１と、該カバー体１２１と前記取付板１２０の間に納められる複数（実施形態では大小２枚）のコネクタ基板（以下「コネクタ接続用端子基板」という場合もある。）１２２，１２３とからなる。
【０１０８】
前記２枚のコネクタ基板１２２，１２３のうち、図１４，図１５において左側に位置する大きい方のコネクタ基板１２２は取付板１２０に対して固定的に取り付けられており、前記メイン基板４０９につながっているハーネス４２４の先端のコネクタ４２５と対をなすコネクタ１２４が設けられている。
【０１０９】
一方、図１４，図１５において右側に位置する小さい方のコネクタ基板１２３は、取付板１２０とカバー体１２１の間の隙間に非固定的な遊動可能状態に取り付けられており、従って図１５拡大図に示したように上下方向に移動可能であり、また、左右方向にも移動し得る。この小さいコネクタ基板１２３には、メイン基板４０９以外のケース部材側電気部品につながっているハーネス４２６の先端のコネクタ４２７と対をなすコネクタ１２５が設けられている。なお、該コネクタ１２５と前記コネクタ１２４は、プリント基板にハンダ付け等の固着手段で固着する基板固着型であり、安価なＤＩＮ規格のものが使われている。
【０１１０】
また、取付板１２０の前面に被さるカバー体１２１は、前記コネクタ１２４，１２５が通る大小２つの開口１２６，１２７と、該開口１２６，１２７と横並びの位置に突設した支持筒１２８と、下半部前方に張り出すトンネル状の配線ダクト１２９と、を有する。
【０１１１】
配線中継部材１１３に接続する本体側配線類１１９は、前記配線ダクト１２９の内部を通るか、または配線中継部材１１３の取付板１２０の下側前面に突設したフック形状の配線止め１３０に束ねられた状態で、図１一点鎖線Ｌに示したように外本体１００の側板１０２，１０２側に振り分けられ、該側板１０２，１０２と背板１０４のコーナー付近でほぼ垂直に向きを変え、その多くは仕切板１０５の奥に設けた配線用の開口１０９を通って本体側電気部品に夫々接続される。もちろん仕切板１０５より上の領域に本体側電気部品（例えば図１において側板１０２の内面に設けた外部中継端子板１３１）がある場合には、仕切板１０５の配線用の開口１０９とは無関係にそのまま接続される。
【０１１２】
ここまでで説明した配線手段から、次のような技術的思想が把握できる。
（ａ）ケース部材４００の後面板４０５に、図柄変動表示装置３００のリール３０１ａ，３０１ｂ，３０１ｃの回転中心を通る水平面とリール３０１ａ，３０１ｂ，３０１ｃの最高高さ位置を通る水平面との間に自己の下辺が位置する高さにして配線窓４１１を形成する。
（ｂ）外本体１００の背板１０４に、本体側電気部品につながる本体側配線類１１９と、ケース部材側電気部品につながるケース側配線類４２３とを中継する配線中継部材１１３を設置する。
（ｃ）外本体１００の側板１０２，１０２の内面沿いに配線を通す上下方向の配線経路を形成する。
（ｄ）配線中継部材１１３につながる本体側配線類１１９をケース部材４００の側方に導き、そこから前記配線経路を通って本体側電気部品に接続する。
【０１１３】
以上（ａ）〜（ｄ）の構成要素を備えた遊技機は、図柄変動表示装置３００のリール３０１ａ，３０１ｂ，３０１ｃの後ろを本体側配線類１１９が通らず、外本体１００の側板１０２，１０２沿い（背板１０４とのコーナーを含む（図１０参照）。）に設けた配線経路を迂回するため、リール３０１ａ，３０１ｂ，３０１ｃを外本体１００の背板１０４近くにまで寄せることが可能になり、従来の構成、すなわち、本体側配線類１１９が背板１０４のほぼ中央を下ってリール３０１ａ，３０１ｂ，３０１ｃの後ろを通っていた従来の構成に比べて、リール３０１ａ，３０１ｂ，３０１ｃの径を大きくすることができる。なお、リール３０１ａ，３０１ｂ，３０１ｃの径は大きい方が、回転時の迫力が増す。
【０１１４】
［配線手段−コネクタ４２５，４２７］
上記のように配線中継部材１１３に設けられている２つのコネクタ１２４，１２５には、ケース部材４００のメイン基板４０９につながっているハーネス４２４の先のコネクタ４２５と、メイン基板４０９以外のケース部材側電気部品につながっているハーネス４２６の先のコネクタ４２７がそれぞれ接続されている。
【０１１５】
この２つのコネクタ４２５，４２７は、図１６−１に示したように１つのコネクタホルダー４２８に一体に取り付けられている。該コネクタホルダー４２８は、コネクタ４２５，４２７がビス止めされるホルダー主体４２９と、ほぼ中央に透孔４３０を有し前記ホルダー主体４２９の両横に突設した板状の取着片４３１と、該取着片４３１の透孔４３０に装着した周知のボタン形パネルファスナー４３２（商品名「ナイラッチ」：登録商標）と、からなり、図５，図８（ａ）に示したように配線中継部材１１３の前記支持筒１２８の先に取着片４３１を当て、該取着片４３１のボタン形パネルファスナー４３２を支持筒１２８に差し込んでロックしてある。従ってコネクタホルダー４２８が固定手段たる支持筒１２８に固定され、ひいては配線中継部材１１３に固定されるため、コネクタ４２５，４２７とコネクタ１２４，１２５の結合が外れない。
【０１１６】
［配線中継基板−コネクタ４２５，４２７−仮止め棚］
上記のようにコネクタ４２５，４２７は配線中継部材１１３のコネクタ１２４，１２５に接続されているが、ケース部材４００が外本体１００に組み込まれる前、つまり工場出荷から設置完了までの間、コネクタ４２５，４２７は、ケース部材４００に設けた仮止め棚４１８に仮止めされている。
【０１１７】
前記仮止め棚４１８は、図５，図６，図１２，図１３に示したようにケース部材４００の内側から前記配線窓４１１に向かわせた棚板状の部材であり、図６に示したようにコネクタホルダー４２８を載置するほぼ水平なベンチ部４３３と、そのベンチ部４３３の両端に立設したベンチ側板４３４と、各ベンチ側板４３４に突設した３本の内向き爪片４３５，４３５，４３５とを有する。この内向き爪片４３５，４３５，４３５の中央の１本と他の上下の２本との間にはコネクタホルダー４２８の取着片４３１が嵌まり得る間隔が設けてある。
なお、一方のベンチ側板４３４は、先端に指掛部４３６を延設した薄板構造であって、指掛部４３６に指を掛け図８（ｂ）矢示Ｘ方向に力を加えることにより一端支持の板バネのごとく外向きに反らせ得るようになっており、その反らせた状態で内向き爪片４３５，４３５，４３５からコネクタホルダー４２８の取着片４３１が簡単に外れるようになっている。図８（ａ）の想像線は指掛部４３６の先を鍵形に折り曲げた例を示したものであり、こうすることにより矢示Ｙのようにボタンを押す感覚でコネクタホルダー４２８の取外しが楽に行える。
【０１１８】
しかして、図６に示したように前記仮止め棚４１８のベンチ部４３３にコネクタホルダー４２８を載置し、該コネクタホルダー４２８の取着片４３１をベンチ側板４３４の内向き爪片４３５，４３５，４３５の間に嵌めることによってコネクタホルダー４２８が仮止め棚４１８に仮止めされる。もちろん仮止めと言っても、ケース部材４００の輸送中にコネクタホルダー４２８が仮止め棚４１８から外れない強度を有する設定になっており、従ってケース部材４００が外本体１００に組み込まれる前までは、コネクタホルダー４２８と一体のコネクタ４２５，４２７はケース部材４００に設けた仮止め棚４１８に仮止めされて動かない。よってケース部材４００を輸送したり、ケース部材４００を外本体１００に組み込む作業の最中に、ハーネス４２４，４２５の先にあるコネクタ４２５，４２７が、ケース部材４００内の部品に当たってその部品はもちろん、自らも損傷する、というようなおそれがない。
【０１１９】
そして、図８（ｂ）→図８（ａ）に示したように、ケース部材４００を外本体１００に固定した後の配線工程で、上記のように一方のベンチ側板４３４を外向きに反らせてコネクタホルダー４２８を仮止め棚４１８から外し、そのコネクタホルダー４２８を自己の取着片４３１が配線中継部材１１３の支持筒１２８に当たる位置まで移動させれば、コネクタ４２５，４２７が配線中継部材１１３のコネクタ１２４，１２５に嵌まるから（その詳細は後述する。）、その状態で取着片４３１のボタン形パネルファスナー４３２を押し込んで取着片４３１を支持筒１２８にロックする。なお、このとき図５，図６に二点鎖線で示したように、ベンチ部４３３にガイド用の案内レール４４０を設けておけば、コネクタホルダー４２８を奥に押し込むだけでよいため、作業性が向上する。
【０１２０】
以上のようにして配線中継部材１１３に取り付けたコネクタホルダー４２８は、外本体１００の背板１０４を支持基盤として安定し、ケース部材から離間していて接触しないため、輸送時の振動等で外本体１００と機種ユニット５０が相対的に動いても無理な負荷が加わらない。
【０１２１】
ここまでの説明から、次のような技術的思想が把握できる。
（ａ）前面が開口し背面を背板で覆った箱形であって電源装置その他の本体側電気部品を備えた外本体と、
（ｂ）前記外本体に対し着脱自在なケース部材に複数の図柄を変動させる図柄変動表示装置その他のケース部材側電気部品を設けた機種ユニットと、
（ｃ）前記本体側電気部品につながる本体側配線類と、前記ケース部材側電気部品につながるケース側配線類とを中継すべく前記外本体の背板に取り付けた配線中継部材と、
（ｄ）前記ケース側配線類の先端に取り付けたコネクタと、
（ｅ）該コネクタに取り付けたコネクタホルダーと、
（ｆ）該コネクタホルダーを仮止めするためケース部材に設けた仮止め部材と、
（ｇ）前記コネクタホルダーを前記配線中継部材に固定するための固定手段と、を有し、
（ｈ）機種ユニットを外本体に装着する前の状態で前記コネクタホルダーを仮止め部材に仮止めし、機種ユニットを外本体に装着した状態で前記コネクタホルダーを仮止め部材から固定手段に付け替えてコネクタホルダーのコネクタを配線中継部材に接続するようにしたことを特徴とする
（ｉ）遊技機。
【０１２２】
上記の遊技機は、機種ユニット５０の外本体１００への装着とコネクタ同士の結合とを別々に行うようにしたものであるが、これとは対照的に、例えば機種ユニット５０に直接コネクタを取り付け、機種ユニット５０を外本体１００に押し込む動作で自動的にコネクタ同士を結合させる、という方式が考えられる。しかしこの方式は、質量の大きな機種ユニット５０が輸送中などに外本体１００の内部で振動した場合、大きな負担がコネクタ結合部に掛かるため信頼性に不安があり、その対策にコストが掛かる課題がある。
【０１２３】
また、本発明の遊技機は、外本体１００に１枚の扉形前面部材２００を取り付け、該扉形前面部材２００に対して機種ユニット５０を物理的に独立させた構成であるが、これとは対照的に、扉形前面部材を上下２段に分割し、上部の扉形前面部材を機種ユニット５０側の部品とする遊技機も考えられる。しかし、このような遊技機では、遊技中に興奮した遊技者が上部の扉形前面部材を叩いた場合にコネクタ結合部に直接衝撃が加わるためコネクタの結合が不安定になるおそれがあり、さらに上下の扉形前面部材同士の継ぎ目に対し新たな防犯構造を要する課題がある。
【０１２４】
これに対し本発明の遊技機は、外本体１００に１枚の扉形前面部材２００を取り付け、該扉形前面部材２００に対して機種ユニット５０を物理的に独立させた構成であり、さらに、コネクタホルダー４２８を配線中継部材１１３に接続した後、該コネクタホルダー４２８は、図５に示したように外本体１００に固定した部品（配線中継部材１１３）と結合し機種ユニット５０から離間した独立構造になっているため、プリント基板にハンダ付けして用いる低コストで一般的なコネクタを使用した場合でも、輸送中においても、遊技中においても信頼性・耐久性に不安がない。また、機種ユニット５０のみが機種変更時の交換対象であり、扉形前面部材２００は交換対象とならないため、機種変更のための遊技場の負担も軽くなる。
【０１２５】
［コネクタ４２５，４２７とコネクタ１２４，１２５の結合］
前記のようにコネクタ４２５とコネクタ４２７は、１つのコネクタホルダー４２８に取り付けられている。こうすることによりコネクタホルダー４２８を配線中継部材１１３の所定の位置にセットする１回の動作で２つのコネクタ４２５，４２７の接続が完了する。しかし現実の問題として、２つのコネクタ４２５，４２７とコネクタホルダー４２８という独立した要素を寄せ集めて一体にする構造では、コネクタ４２５，４２７とコネクタ１２４，１２５の「正確な位置決め」という困難な問題に直面する。すなわち２つのコネクタ４２５，４２７と配線中継部材１１３側のコネクタ１２４，１２５の４要素の位置決めが全て正確でなければ、コネクタ４２５，１２４とコネクタ４２７，１２５の一括結合は不可能であるのに、そのような位置決めの精度を量産品レベルのコストで達成するのは困難だからである。そのような問題を解決する１つの手段として、プリント基板にハンダ付けすることなく結合時の融通性を高める機構を施したいわゆるドロワーコネクタを使用する方法が考えられるが、ドロワーコネクタ自体が高価であるため、まだコスト面の負担が大きい。
【０１２６】
これに対し実施形態の配線手段では、基板支持部材たる配線中継部材１１３のコネクタ基板１２２，１２３を分割してそれぞれにコネクタ１２４，１２５を装着し、そのコネクタ基板１２２，１２３の少なくとも一方を、配線中継部材１１３の取付板１２０とカバー体１２１の間の隙間に非固定的に納めてコネクタ４２７とコネクタ１２５の結合方向と直交する方向（ここでの「直交」は、厳密な９０度にこだわらず、社会通念上のほぼ９０度という程度の意味である。）に遊動可能状態にする手段を講じている。かかる構成においてコネクタホルダー４２８の結合照準をコネクタ４２５とコネクタ１２４に定めた場合、もう一方のコネクタ４２７とコネクタ１２５の相対位置に若干の狂いがあっても、コネクタ基板１２３が遊動してその狂いを矯正すべく移動するから、コネクタ４２７とコネクタ１２５の結合も可能になる。これにより基板固着型で安価なＤＩＮ規格のコネクタで十分に対応できる。
【０１２７】
ここまでの説明から、次のような技術的思想が把握できる。
（１）「２以上の配線用のコネクタと、その各コネクタと対をなす２以上の配線用のコネクタとを有する遊技機において、一方のコネクタグループを１つのコネクタホルダーに固着すると共にこれらと対をなす他のコネクタグループをコネクタ基板に装着し、さらにそのコネクタ基板をコネクタ毎に分割してその１つを基板支持部材に固定すると共に他のコネクタ基板を基板支持部材に対しコネクタの結合方向と直交する方向に遊動可能な状態に取り付けるようにしたことを特徴とする遊技機。」
（２）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた機種ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
該コネクタ接続用端子基板をコネクタ毎に分割してその１つを前記配線中継部材に固定すると共に他のコネクタ接続用端子基板を配線中継部材に対しコネクタの結合方向と直交する方向に遊動可能な状態に取り付けるようにしたことを特徴とする遊技機。
（３）「２以上の配線用のコネクタと、その各コネクタと対をなす２以上の配線用のコネクタとを有する遊技機において、
一方のコネクタグループをコネクタ基板を介して基板支持部材に固着すると共にこれらと対をなす他のコネクタグループを１つのコネクタホルダーに装着し、さらにそのコネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
（４）「前面が開口し背面を背板で覆った箱形であって電源装置その他の本体側電気部品を備えた外本体と、
前記外本体に対し着脱自在なケース部材に複数の図柄を変動させる図柄変動表示装置その他のケース部材側電気部品を設けた機種ユニットと、
前記本体側電気部品につながる本体側配線類と、前記ケース部材側電気部品につながるケース側配線類とを中継すべく前記外本体の背板に取り付けた配線中継部材と、
前記ケース側配線類の先端に取り付けた２系統以上のコネクタと、
該２系統以上のコネクタをコネクタグループとして一括支持するコネクタホルダーと、
該コネクタホルダーを前記配線中継部材に固定するための固定手段と、
前記２系統以上のコネクタグループの各コネクタと対をなしプリント基板に固着して使用する基板固着型のコネクタによる他のコネクタグループと、
前記背板に取り付けた配線中継部材に取り付けられ、前記他のコネクタグループのコネクタを固着してなるコネクタ接続用端子基板と、を有し、
前記コネクタホルダーに対しコネクタグループの中の１つのコネクタを固定すると共に他のコネクタをコネクタホルダーに対しコネクタの結合方向と直交する方向に遊動可能な状態に取り付けるようにしたことを特徴とする遊技機。」
【０１２８】
以上の遊技機は、固定したコネクタ接続用端子基板のコネクタに照準を合わせてコネクタホルダーを操作するようにすれば、他のコネクタ同士の相対位置に製造誤差等で若干の狂いがあっても、非固定のコネクタ接続用端子基板がコネクタごと遊動してその狂いを矯正すべく移動し誤差を吸収するから、結合照準でないコネクタ同士の結合も可能になる。従って１つのコネクタホルダーを用いて複数系統のコネクタの一括接続が可能である。しかも使用しているコネクタは、プリント基板にハンダ付けして用いるような汎用的で安価な例えばＤＩＮ規格のものであり、コストも安い。
【０１２９】
また、コネクタホルダーは、ナイラッチ（登録商標）等の固定手段で配線中継部材、ひいては該配線中継部材を介して外本体の背板に確実に固定される。一方、コネクタホルダーと機種ユニットの間では、フレキシブルなハーネスを介してつながっているのみであり、機種ユニットが動いたとしても、その動きはフレキシブルなハーネスが吸収するので、コネクタホルダーに動きは伝わらない。このため、たとえ輸送中の振動により外本体と機種ユニットの間に相対的な動きが生じても、コネクタホルダーは、外本体のみと一緒に動き、機種ユニットの干渉を受けないから、コネクタの結合部には全く負荷が掛からない。よってコネクタ結合の信頼性が非常に高い。
【０１３０】
なお、実施形態のように、小さいコネクタ１２５に対応する小さいコネクタ基板１２３を遊動可能とし、大きいコネクタ４２５，コネクタ１２４同士を結合の基準に定める構成は、その逆の構成に比べてコネクタ４２５，１２４，４２７，１２５の結合が楽に行える。小さいコネクタ基板１２３の方が軽い力で扱えるため、狂いの自動矯正が容易だからである。また、実施形態では、図９のようにコネクタ４２５，１２４の方がもう一方のコネクタ４２７，１２５より先に結合するようになっており、そうすることにより結合照準のコネクタ同士が合わせやすい。
【０１３１】
また、図９に拡大して示したように凸形のコネクタ４２５，４２７の凸部先端の周縁角部及び／又は凹形のコネクタ１２４，１２５の差込口の周縁角部に面取り部Ｃ（直線的な面取り、曲線的な面取りのいずれも可）を形成しておけば、面取り部Ｃのテーパに沿った誘導作用が、コネクタ同士の結合性をより良好にする。
【０１３２】
また、実施形態のように、配線中継部材１１３のコネクタ基板１２２，１２３を遊動可能にする構成の他、コネクタホルダー４２８側のコネクタ４２５，４２７の何れか一方を遊動可能にすることも可能であり、その場合も上記と同様の作用効果が得られる。なお、かかるコネクタホルダー４２８の具体例を図１６−２に示した。この例では、コネクタホルダー４２８のホルダー主体４２９に雌ねじ付きの受筒４２９ａを突設し、一方、コネクタ４２７の両横に遊孔４２７ａを有する耳片４２７ｂを形成し、コネクタホルダー４２８の受筒４２９ａにコネクタ４２７の遊孔４２７ｂを遊嵌させ、座金付きのビス４２７ｃをもって耳片４２７ｂの抜け止めとしている。そうすることによりコネクタ４２７は、コネクタホルダー４２８に対し、遊孔４２７ａと受筒４２９ａの径の差の範囲で自由に遊動し得る。この場合のコネクタ基板１２２，１２３は、一体にして取付板１２０に固定すればよい。また、実施形態では２つのコネクタを１つのコネクタグループとして取り扱ったが、１つのコネクタグループのコネクタ数は２以上でもよい。
【０１３３】
また、実施形態では図４，図１２に示したように、ケース部材４００の後面板４０５の裏側であって、前記図柄変動表示装置３００の装置ケース３０２の下斜板３１０に向けて凹ませたケーブル溝４３７が形成され、該ケーブル溝４３７の両端近傍にケース部材４００の側板４０４（又は後面板４０５）を貫く配線口４３８，４３８が開設されている。この配線口４３８，４３８とケーブル溝４３７は、図柄変動表示装置３００とメイン基板４０９等とを接続するためのものであり、図１１において図柄変動表示装置３００の装置ケース３０２の向かって右側面（扉形前面部材２００の非ヒンジ側の側面）に設けたリール基板３１２のケーブル３１３（図１２参照）を１つの配線口４３８からケース部材４００の外に引き出し、そのケーブル３１３を図１２のようにケーブル溝４３７に納め、さらにそのケーブル３１３の先を他の配線口４３８からケース部材４００の中に戻してメイン基板４０９等につなぐようにしてある。なお、ケーブル溝４３７には所定の間隔でケーブル止め４３９が設けられていて、ケーブル溝４３７からケーブル３１３が脱落しないようになっている。
【０１３４】
しかしてメイン基板４０９等とリール基板３１２は、共にケース部材４００の中にあるケース部材側電気部品であり、本来、ケース部材４００の外にケーブル３１３を引き出す要はない。それを敢えてケース部材４００に配線口４３８，４３８とケーブル溝４３７を設けてケーブル３１３を外伝いに迂回させるようにした理由は次のとおりである。
【０１３５】
リール基板３１２の設置場所は、限られたスペースの中でコネクタを抜き差しする配線の作業性を考慮すると、図柄変動表示装置３００（装置ケース３０２）の側面のうち扉形前面部材２００の非ヒンジ側に相当する側が好ましい。もし逆に、扉形前面部材２００のヒンジ側に相当する装置ケース３０２の側面にリール基板３１２を設けると、開ききった扉形前面部材２００（図１参照。）とリール基板３１２が近接位置で向かい合うため、コネクタの抜き差しに必要な広い作業空間が確保できないからである。
【０１３６】
しかし一方、リール基板３１２の接続対象たる基板類（メイン基板４０９，演出制御基板５１０，画像表示体５００等）の接続部がケース部材４００の扉形前面部材２００のヒンジ側に相当する側にあると、ケーブル３１３がケース部材４００の内部を横切る格好になる。そうすると前記装置ケース３０２をケース部材４００に装着する際にケーブル３１３を噛み込んだり、逆に装置ケース３０２を引き出す際にケーブル３１３を引っ掛けるおそれがある。
【０１３７】
これに対し実施形態のように、ケース部材４００に配線口４３８，４３８とケーブル溝４３７を設けてケーブル３１３を外伝いに迂回させるようにすれば、上記したようなケーブル３１３のトラブルは生じない。また、配線作業は、装置ケース３０２を所定の位置から若干引き出した状態で行う方が作業性がよく、それに伴って配線口４３８からリール基板３１２までのケーブル３１３の長さは、配線代とでも言うべき余裕が設けられている。従って装置ケース３０２を所定の位置にセットした状態でケーブル３１３に弛みが生じ、引き出し量によってはケーブル３１３の弛みが大きくなる。そのようなケーブル３１３の弛みが大きい場合には、配線口４３８と横並びの位置にある、装置ケース３０２の下斜板３１０とケース部材４００の奥のコーナー部分との間に出来る三角スペースにケーブル３１３の弛んだ部分を逃がすことができる。
【０１３８】
また、実施形態のようにケーブル溝４３７を装置ケース３０２の下斜板３１０に向かわせて膨らませるようにした場合には、ケース部材４００の奥と装置ケース３０２の下斜板３１０との間にできるデッドスペースの有効活用に役立つ。なお、配線口４３８，４３８とケーブル溝４３７を使った配線は、リール基板３１２のケーブル３１３に限定する必要はなく、ケース部材４００の内部を横切るケーブル全てに適用できる。
【０１３９】
その他、図１１中、符号４４１は機能分離中継端子板である。
【０１４０】
以上のように構成されるスロットマシン１は、ケース部材４００を外本体１００に装着し、必要な配線を完了した完成品の状態で工場から出荷される。そして、その完成品のまま遊技場の遊技機設置島に取り付けられるが、このとき図２４想像線のように、外本体１００の天板１０３と遊技機設置島の上桟６００とを木ねじ等の固定部材６０１で止める場合は、扉形前面部材２００と画像表示体５００を開放し、外本体１００の貫通孔１３２に対しケース部材４００の内側から天窓部４４３越しに固定部材６０１を挿通させ、さらにドライバー等の工具６０２で天窓部４４３越しに固定部材６０１を締め付けて外本体１００の天板１０３と遊技機設置島の上桟６００とを固定的に連結する。なお、貫通孔１３２は複数設けられているため、必要に応じてその中から任意に選択して使用することができる。例えば、上桟６００の位置やサイズにばらつきがあってもその上桟６００に対応する貫通孔１３２を選択することができる。また、遊技機をまるごと入れ替える場合に、使用する貫通孔１３２を変更すれば、上桟６００の同じ位置に固定部材６０１の穴が開く弊害（いわゆる、ばか穴化）が防止できる。
【０１４１】
ところで、図２４に示したように外本体１００とケース部材４００の間には隙間Ｓが形成されており、画像表示体５００等から発生した熱が画像表示体５００の冷却ファン（図示せず）で煽られ、ケース部材４００の天窓部４４３から前記隙間Ｓを通って背板１０４の通気口１３３に至り、そこから遊技機設置島の内部に抜ける。このとき背板１０４とケース部材４００の間に配線中継部材１１３がありこれが障壁のごとく作用して前記隙間Ｓを広範囲に塞ぐから、隙間Ｓを流れる熱気がこの部分で遮られ、配線中継部材１１３より上方にある背板１０４の通気口１３３から積極的に外部に放出される。従って放熱効果が高い。
【０１４２】
［連結具の他の例］
続いて、連結具の他の例について、図４５乃至図４９に基づき説明する。ここで、図４５は連結具８０の作動状態を示す斜視図、図４６は連結具８０における要部の構成を示す斜視図、図４７は連結具８０の分解斜視図、図４８は連結具８０を裏側から見た背面図、図４９は連結具８０の作動状態を示す図４８のＡ−Ａ線相当断面図である。
【０１４３】
図４５乃至図４７に示すように、連結具８０は、画像表示体５００の裏面に形成された溝状の収容部５００ｂ内に、大部分が埋込まれた状態で配置されている。つまり、画像表示体５００の背面からあまり突出することない状態で設けられている。また、この連結具８０は、ケース部材４００が外本体１００内に装着され、しかもケース部材４００の開口が画像表示体５００によって閉じられた状態では操作できないように、画像表示体５００の回動外縁部分に設けられている。このため、画像表示体５００を開いた状態で連結具８０を止め軸７０３に連結することが必要となり、ひいてはロック片４２１の解除を忘れたまま連結具８０を連結すること、すなわち扉形前面部材２００及び画像表示体５００が開けられなくなる事態が発生すること、を未然に防ぐことができる。
【０１４４】
連結具８０は、連結具７００と同様、画像表示体５００の回動外縁から突出し、先端側が止め軸７０３に対して回転自在に連結される樹脂製の連結杆８００と、その連結杆８００を、画像表示体５００における回転軌跡の径方向に沿って摺動可能に支持する摺動案内部材８０１とを具備して構成されている。つまり、連結杆８００を突出方向に対して出没可能に支持することにより、扉形前面部材２００の回動に伴って扉形前面部材２００の回動外縁側と画像表示体５００の回動外縁側との距離が変化しても、連結杆８００の摺動によって連結状態を保持することを可能にしている。
【０１４５】
また、本例の連結具８０には、画像表示体５００と連結杆８００との間に伸縮アーム８２０が介在されている。伸縮アーム８２０は、回動軌跡の径方向に折れ曲がり可能に構成されており、伸縮アーム８２０が伸びると、図４５（ｂ）及び図４９（ｂ）に示すように、連結杆８００が突出方向に飛び出した状態となり、一方、伸縮アーム８２０が縮むと、図４５（ａ）または図４９（ａ）に示すように、連結杆８００が没入した状態となる。
【０１４６】
次に、連結杆８００、摺動案内部材８０１、及び伸縮アーム８２０の構成について詳細に説明する。連結杆８００は、図４７に示すように、全体的に略棒状の形状を呈し、基部８００ａ側には円形の軸孔部８００ｄが穿設され、先端側には長手方向が長径となる長孔形状の軸孔部８００ｃが穿設されている。なお、基部８００ａ側と先端側では上面の高さが等しいが、基部８００ａ側から長手方向の略中央部分にわたって、高さ方向の厚みが約１／２となっており、底上げした形態となっている。つまり、基部８００ａの下部に空間を形成することにより、伸縮アーム８２０の一部をもぐり込ませることを可能にし、ひいては伸縮アーム８２０が折れ曲がった際に伸縮アーム８２０と基部８００ａとが部分的に重なりあっても、高さ方向の厚みが大きくなり過ぎないようになっている。特に、基部８００ａの側面（図４９（ｂ）では下側の面）には、半円状の切欠部８００ｅが形成されており、後述する第二腕部８２０ｂの先端側に形成された連結部分の一部を収容可能としている。
【０１４７】
また、連結杆８００の先端側には、連結杆８００の側面から回転軌跡の周方向に向って突出した突出補強部材８００ｂが形成されている。この突出補強部材８００ｂは、扉形前面部材２００が開放位置から閉鎖位置に回動する際、すなわち扉形前面部材２００を閉じる際、止め軸７０３（図３９参照）が支持されたベース部材２１５ａに当接し回転中心方向に押圧される位置に形成されている。このため、扉形前面部材２００を閉じる際に、止め軸７０３のみによって連結杆８００を押圧するものに比べ、止め軸７０３及び連結杆８００に加わる荷重を分散することができ、荷重の集中による止め軸７０３または連結杆８００の破損を抑制することができる。
【０１４８】
一方、摺動案内部材８０１は、連結杆８００を回転軌跡の径方向に案内するための部材であり、樹脂で形成され、画像表示体５００に対向する面が開放された断面略コ字形の形状を呈するガイド部分８０１ａと、その先端側の裏面縁部から上下方向に延出された一対のフランジ部８０１ｂとを具備して構成されている。なお、フランジ部８０１ｂは、図４５に示すように、溝状の収容部５００ｂからはみ出した状態で画像表示体５００の裏面に取付けられており、夫々の中央部分には、取付けネジを挿通させるための貫通孔が穿設されている。
【０１４９】
また、図４７及び図４９に示すように、摺動案内部材８０１の側面には、伸縮アーム８２０が貫通する長方形状の開口部８０１ｃが長手方向に沿って形成されており、特に、その中央部分には、伸縮アーム８２０の連結部分を収容可能とする半円形の切欠８０１ｄが底面にまで及んで形成されている。なお、この切欠８０１ｄは、連結杆８００が没入状態となった場合に、連結杆８００に形成された切欠８００ｅと上下方向において合致する位置に形成されており、その重なった状態において連結部分が挿入されるようになっている。
【０１５０】
伸縮アーム８２０は、画像表示体５００の裏面に固定された支持軸８３０（図４５参照）に対し一端側が軸支された第一腕部８２０ａと、両端側が第一腕部８２０ａの先端側及び連結杆８００の基部８００ａに夫々軸支された第二腕部８２０ｂとからなり、「く」の字形に折れ曲がるように構成されている。さらに詳しく説明すると、第一腕部８２０ａは、基端側に平面視Ｃ字形の支持環８２０ｃを備えており、支持軸８３０に対し回動可能に外嵌されている。なお、支持軸８３０の位置は、連結杆８００の摺動直線上（すなわち摺動案内部材８０１の内部）から後側に逸脱した位置に設定されており、連結杆８００が最も突出した状態（図４９（ｂ）参照）では連結杆８００の長手方向と第一腕部８２０ａの長手方向とが略平行となり、一方、連結杆８００が没入した状態（図４９（ａ）参照）では、第一腕部８２０ａの先端側が連結杆８００に食い込んだ状態となる。なお、第一腕部８２０ａの先端側には、支持環８２０ｃと略同径の連結部分が形成され、その内部に軸孔部８２０ｄが形成されている。
【０１５１】
第二腕部８２０ｂは、平面視が眼鏡形の形状を呈しており、その両端側には、軸孔部８２０ｄと同径の軸孔部８２０ｅ，８２０ｆを有する連結部分が形成されている。そして、第一腕部８２０ａの軸孔部８２０ｄと第二腕部８２０ｂの軸孔部８２０ｅとが回転軸８２１ａを介して互いに回転可能に連結され、第二腕部８２０ｂの軸孔部８２０ｆと連結杆８００の軸孔部８００ｄとが回転軸８２１ｂを介して互いに回転可能に連結されている。なお、第二腕部８２０ｂの高さ方向の厚みは第一腕部８２０ａよりも薄くなっており、連結杆８００の下部に形成された空間に潜り込むことが可能になっている。
【０１５２】
このように、伸縮アーム８２０は、回動軌跡の径方向に折れ曲がり可能に構成されているため、折り畳まれると連結杆８００の長手方向における寸法を短くすることが可能になる。特に、支持軸８３０が連結杆８００の摺動直線上から外れた位置に配置されているため、伸縮アーム８２０を没入させる際、すなわち伸縮アーム８２０が折り畳まれる際、連結杆８００を摺動案内部材８０１の一番奥まで挿入させることが可能となる。
【０１５３】
ところで、連結杆８００は、回転軸８２１ｂを中心として、画像表示体５００の回転軌跡と同方向に所定範囲内で揺動可能に支持されている。また、図４９に示すように、摺動案内部材８０１における内幅Ｍは、連結杆８００の横幅Ｗよりも幾分大きくなるように設定されている。このため、揺動規制部８０５によって制限された回動範囲内で連結杆８００を揺動させることができ、連結杆８００の突出方向を変化させることが可能となる。したがって、扉形前面部材２００の回動中に、画像表示体５００の回動外縁に対する扉形前面部材２００の相対位置が変化しても、連結杆８００に無理な力が加わることを抑制でき、回動中における連結杆８００の反りや破損を防止することができる。
【０１５４】
なお、揺動規制部８０５は、摺動案内部材８０１の先端側に設けられており、連結杆８００の突出長さが短くなるほど、揺動可能範囲が狭くなるように構成されている。つまり、画像表示体５００の回動外縁側と扉形前面部材２００の回動外縁側との距離は、扉形前面部材２００の開放角度が大きくなるほど長くなる傾向にある（換言すれば、扉形前面部材２００の開放角度が小さくなるほど短くなる傾向にある）が、これに対し本例では、扉形前面部材２００が閉鎖位置に近づくほど揺動可能範囲が狭くなるため、夫々の開度状態に応じた適切な範囲内の揺動のみを許容することとなる。このため、扉形前面部材２００の回動中における画像表示体５００のガタツキを極力抑え、安定した状態で回動させることができる。
【０１５５】
また、図４５に示すように画像表示体５００の回動外縁には、外方向に突出した制動部材５００ｃが形成されている。また、連結杆８００の側面には、突出補強部材８００ｂとは反対側に突出した突出部８００ｆが形成されており、図４９（ａ）に示すように、画像表示体５００が閉鎖位置になると（すなわち連結杆８００が没入位置になると）、制動部材５００ｃと突出部８００ｆとが互いに当接するように位置が設定されている。これにより、画像表示体５００が閉じられた際に連結杆８００の揺動を阻止することが可能になり、ひいては画像表示体５００が閉じられた使用可能状態では、画像表示体５００を定位置に保持することができ、遊技中の振動による異音の発生を防止することができる。
【０１５６】
また、図４６に示すように、摺動案内部材８０１の基部側面には、弾性的な片持ち梁式のストッパ８０１ｓが形成されている。ストッパ８０１ｓは止め軸７０３から外した連結杆８００を摺動案内部材８０１の内部に納めて保持するためのものであり、連結杆８００の基部８００ａ側の円形部分に係合して連結杆８００の盲動を防止する。
【０１５７】
［機種ユニットの防犯構造１］
ところで、上記のように交換可能な機種ユニット５０を備えるものでは、旧機種の遊技機を、新しいコンセプトを有する新機種の遊技機に交換する場合、機種ユニット５０のみを交換することとなるが、この場合、機種ユニット５０のみが単独で輸送され、遊技店舗に搬入されることとなるため、輸送途中において、機種ユニット５０の内部に組み込まれたメイン基板４０９や演出制御基板５１０（特にＣＰＵやＲＯＭ）が不正に操作されたり、別の制御基板に交換されたりする虞がある。
【０１５８】
そこで、本例の機種ユニット５０は、図５２及び図５３に示すように、前面開閉部材９０をケース部材４００の前面開口を閉鎖可能とする大きさに形成するとともに、前面開閉部材９０を閉鎖位置に固定しケース部材４００の前面開口が閉鎖された状態を保持する閉鎖保持手段９２０を備えている。なお、この閉鎖保持手段９２０は、本発明の侵入防止手段及び不正抑制手段として機能しており、メイン基板４０９及び演出制御基板５１０等が配置されたケース部材４００の収容空間に対し、人の手や不正用異物が侵入すること、すなわち輸送中にメイン基板４０９や演出制御基板５１０に対し意図的に接触することを阻止している。
【０１５９】
閉鎖保持手段９２０としては、結束バンド９２１を例示することができる。この結束バンド９２１は、周知の結束部材であり、図５２に示すように、鋸歯状列歯９２８を片面側に設けた可撓性のバンド部９２９と、バンド部９２９の一端側に設けられそのバンド部９２９を挿入させることが可能な大きさの挿通孔９３０ａを有する頭部９３０と、挿入孔９３０ａの内部に形成され、鋸歯状列歯９２８を係止可能とする係止爪９３１とから構成されており、挿通孔９３０ａに対しバンド部９２９を深く挿入するほど環状の結束部分が収縮され、締付力が強くなるように構成されている。特に、係止爪９３１は、鋸歯状列歯９２８を一定方向（締結方向）にのみ摺動可能とし、その逆方向（解除方向）には摺動できないように（すなわち係止されるように）構成されている。
【０１６０】
一方、ケース部材４００の回動外縁側上端に軸支されたロック片４２１には、前後方向に貫通する貫通孔９２５が穿設されている。また、画像表示体５００の裏側から突設しロック片４２１の先端が係合する受部５０８には、その背面を貫通する貫通孔９２６及び上面を貫通する貫通孔９２７が穿設されている。なお、ロック片４２１が受部５０８に係合すると、受部５０８の貫通孔９２６がロック片４２１の貫通孔９２５に合致するように、夫々の貫通孔９２５，９２６の位置が設定されている。これらの貫通孔９２５，９２６，９２７は結束バンド９２１を通して前面開閉部材９０をケース部材４００の前面に固定するために設けられた孔である。
【０１６１】
具体的に説明すると、工場から機種ユニット５０を出荷する際、結束バンド９２１におけるバンド部９２９の先端側を、貫通孔９２５及び貫通孔９２６，９２７に順に通し、その後、そのバンド部９２９を頭部９３０の挿通孔９３０ａに挿入させることが行われる（図５３参照）。すると、バンド部９２９の片面側に形成された鋸歯状列歯９２８が、挿通孔９３０ａの内部に形成された係止爪９３１に係止され、前面開閉部材９０の回動外縁側がケース部材４００に固定される。特に、係止爪９３１は、バンド部９２９の解除操作ができないように構成されているため、前面開閉部材９０を閉鎖位置に固定させ、ケース部材４００の閉鎖状態を保持することが可能になる。
【０１６２】
このような閉鎖状態では、メイン基板４０９及び演出制御基板５１０が配置された空間が、ケース部材４００及び前面開閉部材９０によって覆われることとなり、メイン基板４０９等への接触を比較的簡単な構成でブロックすることが可能になる。つまり、前面開閉部材９０を閉鎖位置に固定するだけで、メイン基板４０９等への接触が阻止されるため、空間を覆うための部材を新たに設けることなく、防犯効果を発揮することが可能になる。
【０１６３】
特に、本例では、ロック片４２１及び受部５０８に貫通孔９２５及び貫通孔９２６，９２７を設け、ロック片４２１を係止状態に固定することにより、前面開閉部材９０を閉鎖位置に固定するため、閉鎖状態が保持されていることと、前面開閉部材９０を開放させることができないこととの、因果関係を容易に視認させることができ、例えば前面開閉部材９０が閉鎖位置に固定されているのに気づかず、前面開閉部材９０を無理やり開けようとすることによる前面開閉部材９０の破壊等、を抑制することが可能になる。
【０１６４】
ところで、結束バンド９２１によって前面開閉部材９０を閉鎖位置に固定する方法では、結束バンド９２１が切断されると、閉鎖状態を保持することができなくなる。しかしながら、この場合には、結束バンド９２１が切断されたという痕跡が残ることから、不正な行為が行われたか否かを容易に把握することが可能になる。なお、本例では、結束バンド９２１として、市販されていない特殊な色の結束バンドを用いており、仮に、不正な行為を行った後に、市販の結束バンドを用いて前面開閉部材９０を固定させる上記の操作が行われたとしても、色の違いにより不正な行為が行われたことを把握することが可能になる。
【０１６５】
なお、上記の例では、閉鎖保持手段９２０として結束バンド９２１を示したが、前面開閉部材９０を閉鎖位置に固定する手段は、特に限定されるものではなく、封印シールを用いたり、環状の巻装部材を用いることも可能である。封印シール９３５は、図５４に示すように、前面開閉部材９０の画像表示体５００とケース部材４００の側面とに跨って貼着され、前面開閉部材９０の回動を禁止するものである。特に、この例の封印シール９３５は、ロック片４２１を係止状態に固定するように、すなわちロック片４２１の回動を規制するようにロック片４２１の側方に貼られている。このため、閉鎖状態が保持されていることと、前面開閉部材９０を開放させることができないこととの、因果関係を容易に視認させることができる。
【０１６６】
なお、封印シール９３５は接着剤を介して貼り付けられており、閉鎖保持状態を解除するために封印シール９３５が剥がされた場合には、前面開閉部材９０及びケース部材４００にその痕跡が残ることから、不正な行為が行われたか否かを容易に把握することができる。このように、封印シール９３５を用いることにより、極めて簡単な構成で閉鎖状態を保持することが可能になるとともに、前面開閉部材９０やケース部材４００の構成も簡単になる。なお、封印シール９３５の一部には、機種ユニット５０の装着時における剥離を容易にするため、接着剤が塗られていない非接着領域９３５ａが設けられている。
【０１６７】
一方、巻装部材９３６は、図５５に示すように、前面開閉部材９０が回動しないように、機種ユニット５０全体の外周を巻装する部材であり、環状に形成されている。また、巻装部材９３６は、伸縮しない材料から形成され、鋏等によって切断されるまで、外れないように緊結されている。このため、前面開閉部材９０が閉鎖位置に固定された状態となり、ケース部材４００内に組付けられたメイン基板４０９等に対する不正操作を確実に防ぐことができる。また、巻装部材９３６を目立たせることができ、不正行為に対する抑止力を生じさせることが可能になる。また、不正を行うために巻装部材９３６が切断された場合には、痕跡が残ることから、不正な行為が行われたか否かを巻装部材９３６の状態によって把握することができる。特に、その痕跡は、封印シール９３５のように前面開閉部材９０やケース部材４００に残されるものではないため、ケース部材４００等を再利用することも可能になる。
【０１６８】
さらに、上記の例では、侵入阻止手段として閉鎖保持手段９２０を備えるもの、すなわち前面開閉部材９０を閉鎖位置に固定することによりメイン基板４０９等への接触を防止するものを示したが、図５６または図５７に示すように、機種ユニット５０全体を封止された状態で被包するようにしてもよい。つまり、図５６に示す箱体９３７または図５７に示す袋体９３８等の被包部材を備え、この被包部材によって機種ユニット５０全体を包み込むようにしてもよい。このように構成しても、メイン基板４０９等が配置された空間に対しての侵入を阻止することが可能であり、優れた防犯効果を発揮することができる。また、機種ユニット５０が箱体９３７または袋体９３８で被包した状態で輸送されるため、機種ユニット５０自体を保護することも可能になり、輸送途中での損傷を防止することもできる。また、このように、被包部材で機種ユニット５０全体を被包するものでは、前面開閉部材９０がケース部材４００の開口のうち一部のみしか閉塞しない場合（すなわち閉鎖されていない部分が残されている場合）、またはケース部材４００の前面以外に大きな開口が形成されている場合（すなわち開口から手等を侵入させることが可能である場合）、あるいは、ユニット本体が枠状または筒状である場合（すなわちユニット本体だけでは空間を囲むことができない場合）においても、防犯効果を発揮することが可能になる。なお、本例の箱体９３７及び袋体９３８は何れも不透明の部材で形成されているため、機種ユニット５０を視認させることなく運搬でき、防犯効果を一層高めることが可能になる。
【０１６９】
［機種ユニットの防犯構造２］
ところで、本例では、メイン基板４０９等が組み込まれた機種ユニット５０を、簡単に交換することが可能になっているため、機種ユニット５０を外本体１００に収容した後にも不正な行為が行われる虞がある。つまり、不正なメイン基板または演出制御基板が組込まれた別の機種ユニットに交換されたり、遊技店舗以外の場所で機種ユニット５０の内部に組み込まれたメイン基板４０９または演出制御基板５１０（特にＣＰＵやＲＯＭ）が不正に操作されたりする虞がある。
【０１７０】
そこで、本例では、図５８に示すように、ユニット保持手段９４０を備え、機種ユニット５０が外本体１００内に収容された後、機種ユニット５０におけるケース部材４００が外本体１００に対して固定状態に保持されるように構成されている。特に、このユニット保持手段９４０は、痕跡生成部材から成形されており、ケース部材４００の固定状態が解除されると（すなわち外本体１００内に収容されている機種ユニット５０を取出すことが可能な状態になると）、痕跡が残されるようになっている。このため、ユニット保持手段９４０の状態を認識させることにより、機種ユニット５０の固定状態が解除されたことを遊技店舗等において把握させることが可能になる。つまり、不正なメイン基板等を有する機種ユニットと交換されたにも拘らず何事もなかったかのように見せることができなくなる。したがって、メイン基板４０９等が不正な行為によって変更されることを抑制でき、メイン基板４０９等における信頼性を確保することが可能になる。
【０１７１】
ユニット保持手段９４０としては、結束バンド９４４を例示することができる。この結束バンド９４４は、前述した結束バンド９２１と同様であり、バンド部９４６、頭部９４７、挿通孔９４８、及び係止爪９４９を具備して構成されている。つまり、挿通孔９４８に対しバンド部９４６を深く挿入するほど環状の結束部分が収縮され、締付力が強くなるように構成され、また、係止爪９４９は、鋸歯状列歯を一定方向（締結方向）にのみ摺動可能とし、その逆方向（解除方向）には摺動できないように（すなわち係止されるように）構成されている。
【０１７２】
一方、ケース部材４００の底板部９４１における前縁部側には、上下方向に貫通する第一貫通孔９４２が穿設されている。また、機種ユニット５０を載置する仕切板１０５（本発明の載置板に相当）には、上下方向に貫通する第二貫通孔９４３が穿設されている。特に、ケース部材４００の第一貫通孔９４２と仕切板１０５の第二貫通孔９４３とは、機種ユニット５０が仕切板１０５上に載置された際に互いに合致する位置に設けられている。そして、これらの貫通孔９４２，９４３に結束バンド９４４が通され、締付けられることにより、機種ユニット５０のケース部材４００を、外本体１００の仕切板１０５に固定状態で保持することが可能になる。
【０１７３】
具体的に説明すると、遊技店舗においては、新機種の機種ユニット５０を外本体１００内に収容（詳しくは仕切板１０５の上に載置）した後、結束バンド９４４におけるバンド部９４６の先端側を、第一貫通孔９４２及び第二貫通孔９４３に順に通し、その後、そのバンド部９４６を頭部９４７の挿通孔９４８に挿入させることが行われる。すると、バンド部９４６の片面側に形成された鋸歯状列歯が、挿通孔９４８の内部に形成された係止爪９４９に係止され、ケース部材４００の底板部９４１が外本体１００の仕切板１０５に固定される。特に、係止爪９４９は、バンド部９４６の解除操作ができないように構成されているため、ケース部材４００を固定状態に保持することが可能になる。
【０１７４】
このような固定状態では、ケース部材４００の底板部９４１と、機種ユニット５０を載置する仕切板１０５とが、結束バンド９４４によって締め付けた状態で固定されるため、機種ユニット５０の安定性をさらに向上させることができる。
【０１７５】
特に、結束バンド９４４における係止爪９４９は、鋸歯状列歯を一旦係止させると、その後の解除操作ができないように構成されているため、ケース部材４００を固定状態に保ち、不正行為を確実に防止することができる。また、バンド部９４６が切断された場合には、機種ユニット５０を交換することが可能になるが、この場合には、結束バンド９４４が切断されたという痕跡が残ることから、不正な行為が行われたか否かを把握することが可能になる。なお、本例では、結束バンド９４４として、市販されていない特殊な色の結束バンドを用いており、仮に、不正な行為を行った後に、市販の結束バンドを用いてケース部材４００を固定させる、という上記の操作が行われたとしても、色の違いにより不正な行為が行われたことを把握することが可能になる。
【０１７６】
なお、遊技店舗において旧機種の機種ユニット５０を取外す際には、結束バンド９４４を鋏等で切断するだけでよいことから、交換時における作業性の低下を抑制することができる。ここで、結束バンド９４４が本発明の結束部材に相当する。
【０１７７】
また、上記の例では、ユニット保持手段９４０として結束バンド９４４を示したが、機種ユニット５０を固定状態に保持する手段は、特に限定されるものではなく、例えば、図５９に示すように、封印シール９５０を用いることも可能である。封印シール９５０は、ケース部材４００における底板部９４１と外本体１００における仕切板１０５とに跨って貼着され、機種ユニット５０のケース部材４００を固定状態に保持する。
【０１７８】
なお、封印シール９５０は接着剤を介して貼り付けられており、機種ユニット５０を取出すために封印シール９５０が剥がされた場合には、底板部９４１または仕切板１０５にその痕跡が残ることから、不正な行為が行われたか否かを容易に把握することができる。このように、封印シール９５０を用いることにより、極めて簡単な構成で固定状態を保持することが可能になるとともに、底板部９４１や仕切板１０５の構成も簡単になる。
【０１７９】
このように、本例のスロットマシン１によれば、図４３及び図４４に示すように、外本体１００の内部には、メイン基板４０９及び演出制御基板５１０が組付けられた機種ユニット５０が収容されており、機種ユニット５０ごと交換することが可能になっているため、スロットマシン１の機種を変更する場合、外本体１００及び扉形前面部材２００をそのまま利用し、最小限必要な構成のみをユニットごと交換することが可能になる。したがって、機種変更にかかる費用の負担を軽減するとともに、交換部分の小型化及び軽量化が図れることから運搬や設置における作業性が向上することができる。特に、ユニットごと交換することから、取扱いが容易となり速やかに交換することができる。
【０１８０】
また、この機種ユニット５０は、前面の少なくとも一部が開口するケース部材４００と、その開口を開閉可能に塞ぐ前面開閉部材９０（画像表示体５００及び枠部材５０１とからなる）とを具備して構成され、前面開閉部材９０を開くと、ケース部材４００の前面の開口が開放され、機種ユニット５０の内部を確認したり、メイン基板４０９や演出制御基板５１０等に対して作業を行ったりすることが可能になる。逆に、前面開閉部材９０を閉じると、ケース部材４００の前面の開口が閉鎖され、メイン基板４０９や演出制御基板５１０への操作を禁止することが可能になる。また、前面開閉部材９０によって開口を塞ぐことにより、ケース部材４００内への前方からの視覚を遮蔽し、例えば、扉形前面部材２００の透視窓２１４を通した視覚の中に、メイン基板４０９や演出制御基板５１０が露出されることを防止できる。
【０１８１】
また、本例のスロットマシン１によれば、前面開閉部材９０が装飾性を有しており、扉形前面部材２００に設けられた透視窓２１４を通して視認可能となっているため、比較的広い領域に亘って装飾を施すことができ、遊技者の注意を惹きつけることが可能になる。特に、前面開閉部材９０の上部側が画像表示体５００によって構成されているため、表示画面を比較的大きく形成し、迫力のある画像を明瞭に視認させることができる。また、機種ユニット５０を交換することにより、演出内容だけではなく、画像表示体５００の外観や配置位置も変更することが可能になる。また、画像表示体５００に所定の演出を導出する演出制御基板５１０が、画像表示体５００の背面側に組付けられているため、画像表示体５００と演出制御基板５１０とを一体的に構成することが可能になり、演出制御基板５１０に対する作業性を著しく向上させることができる。
【０１８２】
また、本例のスロットマシン１によれば、機種ユニット５０内に、図柄変動表示装置３００が組付けられているため、図柄変動表示装置３００もユニットごと交換することが可能になる。このように機種ユニット５０をユニット毎交換するだけで、スロットマシン１のコンセプトとして特徴づけることが可能な、前面開閉部材９０、画像表示体５００、及び図柄変動表示装置３００を異種のものとすることが可能になり、全く異なったコンセプトのスロットマシンを比較的安価に提供することができる。
【０１８３】
また、本例のスロットマシン１によれば、前面開閉部材９０の回動方向を扉形前面部材２００の回動方向と同方向にし、扉形前面部材２００の横開き動作を前面開閉部材９０に伝達する連動機構を備えているため、扉形前面部材２００を開放させると、連結具７００または連結具８０を介して前面開閉部材９０も同方向に回動しケース部材４００の前面が開放される。つまり、前面開閉部材９０が扉形前面部材２００に連れ回ることとなり、一回の横開き操作によって外本体１００内は勿論、ケース部材４００の内部までも視認させることができる。特に、連結具７００または連結具８０は、扉形前面部材２００及び前面開閉部材９０における夫々の回動外縁側同士を連結することから、連結操作及びその解除操作が容易に行えるとともに、連結具７００または連結具８０が受ける荷重を比較的小さくでき、ひいてはそれらの破損を防止することができる。
【０１８４】
また、本例のスロットマシン１によれば、前面開閉部材９０の回動を阻止するロック片４２１が備えられており、ロック状態（係止状態）にすると、前面開閉部材９０がケース部材４００に対して所定の位置で固定されるため、機種ユニット５０を外本体１００に装着していない状態、すなわち機種ユニット５０の輸送中に、前面開閉部材９０が揺れ動くことを防止し、輸送中における画像表示体５００等の破損を防止できる。また、安定した状態で輸送することが可能になり、輸送業者に安心感を与えることができる。
【０１８５】
さらに、本例のスロットマシン１によれば、ユニット保持手段９４０が設けられており、ケース部材４００の固定状態が解除されると、痕跡が残されるようになっているため、ユニット保持手段９４０の状態を認識させることにより、機種ユニット５０の固定状態が解除されたことを遊技店舗等において把握することが可能になる。したがって、メイン基板４０９等が不正な行為によって変更されることを抑制でき、メイン基板４０９等における信頼性を確保することができる。特に、ユニット保持手段９４０として、結束バンド９４４が用いられ、ケース部材４００の底板部９４１と仕切板１０５とが結束された状態で固定されるため、比較的容易に連結させることができ、しかも機種ユニット５０を取外す際には、切断するだけで容易に保持状態を解除することができる。したがって、作業者に負担を掛けることなく、防犯効果を発揮させることができる。また、結束バンド９４４は、底板部９４１の前縁近傍において結束されるため、機種ユニット５０を固定状態に保持する際には、機種ユニット５０をケース部材４００内に収容した後、機種ユニット５０の前側において連結作業を行えばよい。したがって、十分な作業スペースを確保することができ、作業性をさらに高めることが可能になる。また、結束バンド９４４を目立たせることが可能になり、結束バンド９４４の状態に異変がないか否か、すなわち機種ユニット５０が交換された虞がないか否かを明瞭に認識させることも可能になる。
【０１８６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１８７】
上記実施形態では、前面開閉部材９０に画像表示体５００を組付けるもの、すなわち画像表示体５００を機種ユニット５０の一部として、交換可能に組込むものを示したが、画像表示体５００を扉形前面部材２００に組付けるようにしてもよい。これによれば、画像表示体５００を共通部品として扱うことが可能になる。なお、同じ画像表示体５００を採用しても、画像表示体５００に表示される演出を変化させることにより、コンセプトの異なった遊技機を提供することが可能になる。
【０１８８】
また、上記実施形態では、機種ユニット５０を仕切板１０５によって分割し、上部側に画像表示体５００を、下部側に図柄変動表示装置３００を夫々配置するものを示したが、図５０及び図５１に示すように、図柄変動表示装置３００を上部側に配置し、画像表示体５００を下部側に配置するように構成した機種ユニット９０１を備えるようにしてもよい。なお、図５０では、上記実施形態と同一の構成は同一の番号を付してある。つまり、画像表示体５００を前面開閉部材９０に備えること、図柄変動表示装置３００をユニット本体９０２内に配置することは上記実施形態と同様であるが、この例では、図柄変動表示装置３００と画像表示体５００との上下関係のみが逆になっている。そして、このように構成すれば、画像表示体５００がスロットマシン１の略中央部分に配置されることから、画像表示体５００に表示される演出画像を一層迫力のあるものとし、臨場感を醸し出すことが可能になる。
【０１８９】
また、上記実施形態では、ケース部材４００を、外本体１００に設けられた仕切板１０５に対して固定させるものを示したが、外本体１００に直接固定させるようにしてもよい。具体的には、ケース部材４００の側板と外本体１００の側板とを連結するようにしてよい。
【０１９０】
また、上記実施形態では、一本の結束バンド９４４で、ケース部材４００と外本体１００とを連結するものを示したが、複数本の結束バンド９４４で固定するようにしてもよい。これによれば、作業時間が余分にかかるものの、防犯効果を一層高めるとともに、機種ユニット５０をより安定した状態で支持することが可能になる。
【０１９１】
また、上記実施形態では、結束バンド９４４によってケース部材４００を固定させるもの（すなわち締め付けるもの）を示したが、別の部材を用いてケース部材４００を固定させ、その固定状態の保持のみをユニット保持手段９４０によって行わせるようにしてもよい。具体的に言えば、結束バンド９４４を締め付けることなく、緩やかな状態で連結させるようにしてもよい。つまり、外本体１００に対して機種ユニット５０のケース部材４００が多少変位しても、結束バンド９４４を切断しない限り機種ユニット５０を取外すことができない状態に連結されてさえいれば、ユニット保持手段９４０としての防犯効果を発揮することができる。
【０１９２】
さらに、上記実施形態では、遊技機としてスロットマシン１を示したが、スロットマシン以外の遊技機、例えば、パチンコ機や、パチンコ機とスロットマシンとを融合させてなる遊技機等であっても本発明を適用することができる。
【図面の簡単な説明】
【０１９３】
【図１】スロットマシンの分解斜視図である。
【図２】扉形前面部材を省略した状態を示すスロットマシンの分解斜視図である。
【図３】スロットマシンの斜視図である。
【図４】扉形前面部材を省略した状態を示すスロットマシンの縦断面図である。
【図５】図４のＺ１部拡大図である。
【図６】コネクタホルダーを移動させた状態を示す図４のＺ１部拡大図である。
【図７】扉形前面部材を省略した状態を示すスロットマシンの横断面図である。
【図８】（ａ）は図７のＺ２部拡大図、（ｂ）はコネクタホルダーを移動させた状態を示す図７のＺ２部拡大図である。
【図９】図８（ａ）の要部を示す拡大図である。
【図１０】背板側を示すスロットマシン要部の横断面図である。
【図１１】ケース部材の分解斜視図である。
【図１２】ケース部材を後ろから見た斜視図である。
【図１３】（ａ），（ｂ）はコネクタホルダーの仮止め状態を説明するケース部材の要部の斜視図である。
【図１４】配線中継部材の分解斜視図である。
【図１５】配線中継部材のカバー体を省略した正面図である。
【図１６−１】コネクタホルダーの分解斜視図である。
【図１６−２】コネクタホルダーの分解斜視図である。
【図１７】ケース部材を止めるストッパーの斜視図である。
【図１８】他の形態を示すストッパーの斜視図である。
【図１９】ケース部材のガイド構造を示す要部の断面図である。
【図２０】ケース部材のガイド構造を示す要部の断面図である。
【図２１】把手の他の形態を示す図柄変動表示装置の部分斜視図である。
【図２２】ケース部材と外本体側のストッパーとの関係を示す要部の斜視図である。
【図２３】配線窓と図柄変動表示装置のリールとの関係を示す要部の断面図である。
【図２４】スロットマシン上部の縦断面図である。
【図２５】メダル放出装置を省略してスロットマシンの下半部を示す斜視図である。
【図２６】図２５の分解斜視図である。
【図２７】スロットマシンの裏側から放熱口を見た背面図である。
【図２８】電源装置を示すスロットマシンの一部断面部分正面図である。
【図２９】電源装置を下から見上げた状態を示す斜視図である。
【図３０】他の形態を示すもので外本体の側板と電源装置の要部断面図である。
【図３１】他の形態を示す照明装置の概略断面図である。
【図３２】透明板と発光ユニットを分解して示す扉形前面部材の斜視図である。
【図３３】透明板を分解して示す扉形前面部材の斜視図である。
【図３４】透明板を装着した扉形前面部材の図３２Ａ−Ａ線相当断面図である。
【図３５】ヒンジ金具の分解・組み立て斜視図である。
【図３６】ヒンジ金具の連鎖を示す線図である。
【図３７】扉形前面部材を示す要部の横断平面図である。
【図３８】開く途中の扉形前面部材を示す要部の横断平面図である。
【図３９】扉形前面部材の上半部を示す裏側から見た斜視図である。
【図４０】連結具を縦方向に切断した断面斜視図である。
【図４１】他のヒンジ金具の例を示す扉形前面部材の要部横断平面図である。
【図４２】図４１の扉形前面部材の開く途中を示す要部の横断平面図である。
【図４３】機種ユニットにおいて画像表示体及び枠部材を開いた状態を示す斜視図である。
【図４４】連結具を連結したまま扉形前面部材を開いた状態を示す斜視図である。
【図４５】他の連結具の作動状態を示す斜視図である。
【図４６】連結具における要部の斜視図である。
【図４７】連結具の分解斜視図である。
【図４８】連結具を裏側から見た背面図である。
【図４９】連結具の作動状態を示す図４８のＡ−Ａ線相当断面図である。
【図５０】他の機種ユニットを収容したスロットマシーンの正面図である。
【図５１】図５０のスロットマシーンにおいて連結具を連結したまま扉形前面部材を開いた状態を示す斜視図である。
【図５２】機種ユニットにおいて、輸送中の不正行為を抑制する構成を示す斜視図である。
【図５３】図５２の機種ユニットの平面図、及びその一部拡大図である。
【図５４】不正行為を抑制する他の例を示す斜視図である。
【図５５】不正行為を抑制するさらに他の例を示す斜視図である。
【図５６】機種ユニットを箱体に収容した状態を示す斜視図である。
【図５７】機種ユニットを袋体に収容した状態を示す斜視図である。
【図５８】機種ユニットを交換した後の不正行為を抑制する構成を示す斜視図である。
【図５９】不正行為を抑制する他の例を示す斜視図である。
【符号の説明】
【０１９４】
１  スロットマシン（遊技機）
５０  機種ユニット
８０  連結具
９０  前面開閉部材
１００  外本体（筐体）
１０５  仕切り板（載置板）
２００  扉形前面部材
２０２  操作部（遊技操作部）
４００  ケース部材（ユニット本体）
４０９  メイン基板（遊技制御手段）
５１０  演出制御基板（演出制御手段）
７００  連結具
９４０  ユニット保持手段
９４１  底板部
９４２  第一貫通孔
９４３  第二貫通孔
９４４  結束バンド（痕跡生成部材，結束部材）
９４６  バンド部
９４７  頭部
９４８  挿通孔
９４９  係止爪
９５０  封印シール
【図１】
2008212564.tif 000003
【図２】
2008212564.tif 000004
【図３】
2008212564.tif 000005
【図４】
2008212564.tif 000006
【図５】
2008212564.tif 000007
【図６】
2008212564.tif 000008
【図７】
2008212564.tif 000009
【図８】
2008212564.tif 000010
【図９】
2008212564.tif 000011
【図１０】
2008212564.tif 000012
【図１１】
2008212564.tif 000013
【図１２】
2008212564.tif 000014
【図１３】
2008212564.tif 000015
【図１４】
2008212564.tif 000016
【図１５】
2008212564.tif 000017
【図１６−１】
2008212564.tif 000018
【図１６−２】
2008212564.tif 000019
【図１７】
2008212564.tif 000020
【図１８】
2008212564.tif 000021
【図１９】
2008212564.tif 000022
【図２０】
2008212564.tif 000023
【図２１】
2008212564.tif 000024
【図２２】
2008212564.tif 000025
【図２３】
2008212564.tif 000026
【図２４】
2008212564.tif 000027
【図２５】
2008212564.tif 000028
【図２６】
2008212564.tif 000029
【図２７】
2008212564.tif 000030
【図２８】
2008212564.tif 000031
【図２９】
2008212564.tif 000032
【図３０】
2008212564.tif 000033
【図３１】
2008212564.tif 000034
【図３２】
2008212564.tif 000035
【図３３】
2008212564.tif 000036
【図３４】
2008212564.tif 000037
【図３５】
2008212564.tif 000038
【図３６】
2008212564.tif 000039
【図３７】
2008212564.tif 000040
【図３８】
2008212564.tif 000041
【図３９】
2008212564.tif 000042
【図４０】
2008212564.tif 000043
【図４１】
2008212564.tif 000044
【図４２】
2008212564.tif 000045
【図４３】
2008212564.tif 000046
【図４４】
2008212564.tif 000047
【図４５】
2008212564.tif 000048
【図４６】
2008212564.tif 000049
【図４７】
2008212564.tif 000050
【図４８】
2008212564.tif 000051
【図４９】
2008212564.tif 000052
【図５０】
2008212564.tif 000053
【図５１】
2008212564.tif 000054
【図５２】
2008212564.tif 000055
【図５３】
2008212564.tif 000056
【図５４】
2008212564.tif 000057
【図５５】
2008212564.tif 000058
【図５６】
2008212564.tif 000059
【図５７】
2008212564.tif 000060
【図５８】
2008212564.tif 000061
【図５９】
2008212564.tif 000062